(57)【要約】【課題】通信時に、操作者が、機器に登録されている通信相手先、通信方式及びこれに用いる通信相手先特定情報の中から、通信相手先への通信に用いる通信方式及び通信相手先特定情報を容易に指定できるようにする。【解決手段】複合機１は、ファクシミリ通信部７５等の通信部と、通信部による通信対象となる各通信相手先についての通信相手先情報を複数記憶する通信相手先記憶部５３と、表示部４１０と、表示部４１０の表示を制御する表示制御部５２２と、通信部に通信を行わせる通信相手先を通信相手先情報と共に操作者から受け付ける通信相手先受付部５２３と、通信相手先の各通信相手先情報についての表示優先度を記憶する表示優先度記憶部５４とを備え、表示制御部５２２は、通信相手先情報を複数有する通信相手先については、上記表示優先度に応じて通信相手先情報を抽出して表示部４１０に表示させる。【選択図】図１０
2011171845.tif 000002
【特許請求の範囲】
【請求項１】
通信を行う通信部と、
前記通信部による通信対象となる各通信相手先について、通信方式及び当該通信方式に用いる通信相手先特定情報の組合せである通信相手先情報を複数記憶可能な通信相手先記憶部と、
前記通信相手先及び通信相手先情報を表示する表示部と、
前記通信相手先記憶部に記憶されている前記各通信相手先についての前記通信相手先情報を前記表示部に表示させる表示制御部と、
前記通信相手先についての前記通信相手先情報が前記表示制御部によって前記表示部に表示されているときに、前記通信部に通信を行わせる通信相手先を前記通信相手先情報と共に操作者から受け付ける通信相手先受付部と、
前記１つの通信相手先に対して前記通信相手先情報が複数記憶されている場合に、当該通信相手先の各通信相手先情報について、前記表示制御部による前記表示部への表示優先度を記憶する表示優先度記憶部とを備え、
前記表示制御部は、前記各通信相手先について前記通信相手先情報を前記表示部に表示させるとき、前記通信相手先情報を複数有する通信相手先については、前記表示優先度記憶部に記憶されている前記表示優先度に応じて前記通信相手先情報を抽出して、前記表示部に表示させる画像表示装置。
【請求項２】
前記表示制御部による前記抽出を実行させる抽出指示を操作者から受け付ける抽出指示受付部を更に備え、
前記表示制御部は、前記抽出指示受付部に前記抽出指示が受け付けられた場合に、前記通信相手先情報を複数有する通信相手先について前記表示優先度が高い前記通信相手先情報を抽出する処理を行う請求項１に記載の画像表示装置。
【請求項３】
前記通信相手先について前記表示制御部による表示対象とする前記通信相手先情報の指定を、前記表示優先度として操作者から受け付ける表示優先度受付部を更に備え、
前記表示優先度記憶部は、前記表示優先度受付部によって受け付けられた前記通信相手先情報の指定を前記表示優先度として記憶し、
前記表示制御部は、前記通信相手先情報の指定からなる前記表示優先度を有する前記通信相手先情報を、前記表示優先度が高い前記通信相手先情報として抽出する請求項１又は請求項２に記載の画像表示装置。
【請求項４】
各操作者を識別するための識別情報の入力を各操作者別に受け付ける識別情報受付部を更に備え、
前記表示優先度記憶部は、前記表示優先度受付部で受け付けられた前記通信相手先情報の前記指定と、当該通信相手先情報に対応付けられた前記識別情報とを前記表示優先度として記憶し、
前記表示制御部は、前記識別情報毎に、前記表示優先度が高いとされる前記通信相手先情報を前記表示優先度記憶部から抽出する請求項３に記載の画像表示装置。
【請求項５】
前記各通信相手先についての前記各通信相手先情報が前記通信部による通信に用いられた使用頻度を検出する使用頻度検出部を更に備え、
前記表示制御部は、前記使用頻度検出部によって検出された使用頻度を前記表示優先度として、前記通信相手先情報を複数有する通信相手先について前記表示優先度が高い前記通信相手先情報を抽出する処理を行う請求項１又は請求項２に記載の画像表示装置。
【請求項６】
前記各通信相手先について、前記通信部による通信に用いられた最新の前記通信相手先情報を検出する最新相手先情報検出部を更に備え、
前記表示制御部は、前記最新相手先情報検出部による検出結果を前記表示優先度として、前記通信相手先情報を複数有する通信相手先について前記表示優先度が高い前記通信相手先情報を抽出する処理を行う請求項１又は請求項２に記載の画像表示装置。
【請求項７】
前記各通信相手先について、前記通信相手先記憶部に記憶された最新の前記通信相手先情報を検出する最新記憶情報検出部を更に備え、
前記表示制御部は、前記最新記憶情報検出部による検出結果を前記表示優先度として、前記通信相手先情報を複数有する通信相手先について前記表示優先度が高い前記通信相手先情報を抽出する処理を行う請求項１又は請求項２に記載の画像表示装置。
【請求項８】
各操作者を識別するための識別情報の入力を各操作者別に受け付ける識別情報受付部を更に備え、
前記表示優先度記憶部は、前記通信相手先情報について前記検出結果で示される前記表示優先度を、前記識別情報受付部に受け付けられた前記識別情報毎に記憶し、
前記表示制御部は、前記識別情報毎に、前記表示優先度が高いとされる前記通信相手先情報を前記表示優先度記憶部から抽出する請求項５乃至請求項７のいずれかに記載の画像表示装置。
【請求項９】
前記表示制御部は、前記各通信相手先について前記通信相手先情報を前記表示部に表示させるとき、前記通信相手先情報を複数有する通信相手先については、前記表示優先度記憶部に記憶されている前記表示優先度に応じて前記通信相手先情報を抽出して、前記表示部に前記表示優先度順に表示させる請求項１乃至請求項８のいずれかに記載の画像表示装置。
【請求項１０】
前記表示制御部は、前記抽出した通信相手先情報を、前記優先度順に表示形態を異ならせて前記表示部に表示させる請求項９に記載の画像表示装置。
【請求項１１】
前記表示制御部は、前記抽出の対象とはしていない前記通信相手先情報も更に前記表示部に表示させ、前記抽出の対象として抽出した通信相手先情報を、当該抽出の対象とはしていない前記通信相手先情報とは表示形態を異ならせて前記表示部に表示させる請求項１乃至請求項８のいずれかに記載の画像表示装置。
【請求項１２】
前記送信相手先情報記憶部は、前記通信相手先情報と共にこれに付随する詳細情報を記憶し、
前記表示制御部によって前記表示部に表示されている前記通信相手先情報についての前記詳細情報を表示させる詳細情報表示指示を操作者から受け付ける詳細情報表示指示受付部を更に備え、
前記表示制御部は、前記詳細情報表示指示受付部に前記詳細情報表示指示が受け付けられた通信相手先情報の前記詳細情報を、送信相手先情報記憶部から読み出して、前記表示部に表示させる請求項１乃至請求項１１のいずれかに記載の画像表示装置。
【請求項１３】
請求項１乃至請求項１２のいずれかに記載の画像表示装置を備えた通信機器。
【請求項１４】
請求項１乃至請求項１２のいずれかに記載の画像表示装置を備えた画像形成装置。
【発明の詳細な説明】
【技術分野】
【０００１】
本発明は、画像表示装置、通信機器、及び画像形成装置に関し、特に、ファクシミリや電子メール等の通信時に、各通信相手先について記憶されている通信方式及び当該通信方式に用いる通信相手先特定情報を表示部に表示させる際の技術に関する。
【背景技術】
【０００２】
従来から、特許文献１に示されるように、操作者により指定された通信相手先に、ファクシミリ通信、電子メール送信等の通信を行う通信機器が知られている。このような通信機器では、機器に登録されている１つの通信相手先には、ファクシミリ通信、電子メール送信、ネットワーク接続されたパーソナルコンピュータへのスキャンデータ送信等のために、複数の通信方式と、当該通信方式に用いるファクシミリ番号、メールアドレス又はIPアドレス等の通信相手先特定情報とを付随させて記憶可能とされている。
【先行技術文献】
【特許文献】
【０００３】
【特許文献１】特開２００８−２２２７９号公報
【発明の概要】
【発明が解決しようとする課題】
【０００４】
しかしながら、上記従来の通信機器では、１つの通信相手先について通信方式及びこれに用いる通信相手先特定情報が複数登録されている場合、操作者が通信開始時に、通信相手先、通信方式及びこれに用いる通信相手先特定情報を選択する際、各通信相手先について登録されている通信方式及びこれに用いる通信相手先特定情報が全て表示されるため、操作者にとって表示内容が煩雑になる。このため、操作者が、当該煩雑に表示された通信相手先、通信方式及びこれに用いる通信相手先特定情報の中から、今回の通信相手先への通信に用いる通信方式及び通信相手先特定情報を探し出すことは容易ではない。
【０００５】
本発明は、上記の問題を解決するためになされたもので、通信時に、操作者が、機器に登録されている通信相手先、通信方式及びこれに用いる通信相手先特定情報の中から、通信相手先への通信に用いる通信方式及び通信相手先特定情報を容易に指定できるようにすることを目的とする。
【課題を解決するための手段】
【０００６】
本発明の請求項１に記載の発明は、通信を行う通信部と、
前記通信部による通信対象となる各通信相手先について、通信方式及び当該通信方式に用いる通信相手先特定情報の組合せである通信相手先情報を複数記憶可能な通信相手先記憶部と、
前記通信相手先及び通信相手先情報を表示する表示部と、
前記通信相手先記憶部に記憶されている前記各通信相手先についての前記通信相手先情報を前記表示部に表示させる表示制御部と、
前記通信相手先についての前記通信相手先情報が前記表示制御部によって前記表示部に表示されているときに、前記通信部に通信を行わせる通信相手先を前記通信相手先情報と共に操作者から受け付ける通信相手先受付部と、
前記１つの通信相手先に対して前記通信相手先情報が複数記憶されている場合に、当該通信相手先の各通信相手先情報について、前記表示制御部による前記表示部への表示優先度を記憶する表示優先度記憶部とを備え、
前記表示制御部は、前記各通信相手先について前記通信相手先情報を前記表示部に表示させるとき、前記通信相手先情報を複数有する通信相手先については、前記表示優先度記憶部に記憶されている前記表示優先度に応じて前記通信相手先情報を抽出して、前記表示部に表示させる画像表示装置である。
【０００７】
この発明によれば、表示制御部は、各通信相手先について、通信方式及び当該通信方式に用いる通信相手先特定情報の組合せである通信相手先情報を表示部に表示させるとき、当該通信相手先情報を複数有する通信相手先については、表示対象とする通信相手先情報の数を、表示優先度に従って絞った上で表示する。これにより、通信時には、通信相手先についての通信方式及び通信相手先特定情報の表示が煩雑になることを回避できるため、操作者は、装置に登録されている通信相手先、通信方式及びこれに用いる通信相手先特定情報の中から、今回の通信相手先への通信に用いる通信方式及び通信相手先特定情報を容易に指定することが可能になる。
【０００８】
また、請求項２に記載の発明は、請求項１に記載の画像表示装置であって、前記表示制御部による前記抽出を実行させる抽出指示を操作者から受け付ける抽出指示受付部を更に備え、
前記表示制御部は、前記抽出指示受付部に前記抽出指示が受け付けられた場合に、前記通信相手先情報を複数有する通信相手先について前記表示優先度が高い前記通信相手先情報を抽出する処理を行うものである。
【０００９】
この発明によれば、表示制御部は、抽出指示受付部に前記抽出指示が受け付けられた場合に、各通信相手先について、上記表示優先度が高い通信相手先情報を抽出して表示部に表示させるので、操作者は、必要に応じて、各通信相手先について記憶されている全ての通信相手先情報を表示させるか、上記抽出された通信相手先情報を表示させるかを選択することができる。
【００１０】
また、請求項３に記載の発明は、請求項１又は請求項２に記載の画像表示装置であって、前記通信相手先について前記表示制御部による表示対象とする前記通信相手先情報の指定を、前記表示優先度として操作者から受け付ける表示優先度受付部を更に備え、
前記表示優先度記憶部は、前記表示優先度受付部によって受け付けられた前記通信相手先情報の指定を前記表示優先度として記憶し、
前記表示制御部は、前記通信相手先情報の指定からなる前記表示優先度を有する前記通信相手先情報を、前記表示優先度が高い前記通信相手先情報として抽出するものである。
【００１１】
この発明によれば、表示制御部は、表示優先度受付部に操作者から受け付けられた指定が示す表示優先度に従って、各通信相手先について表示対象とする通信相手先情報を抽出するので、各通信相手先についての操作者所望の通信相手先情報を表示部に表示できる。
【００１２】
また、請求項４に記載の発明は、請求項３に記載の画像表示装置であって、各操作者を識別するための識別情報の入力を各操作者別に受け付ける識別情報受付部を更に備え、
前記表示優先度記憶部は、前記表示優先度受付部で受け付けられた前記通信相手先情報の前記指定と、当該通信相手先情報に対応付けられた前記識別情報とを前記表示優先度として記憶し、
前記表示制御部は、前記識別情報毎に、前記表示優先度が高いとされる前記通信相手先情報を前記表示優先度記憶部から抽出するものである。
【００１３】
この発明によれば、表示制御部は、上記識別情報毎に表示優先度に従って、各通信相手先について表示対象とする通信相手先情報を抽出するので、各操作者それぞれにとって真に必要な情報のみを表示部に表示可能となる。
【００１４】
また、請求項５に記載の発明は、請求項１又は請求項２に記載の画像表示装置であって、前記各通信相手先についての前記各通信相手先情報が前記通信部による通信に用いられた使用頻度を検出する使用頻度検出部を更に備え、
前記表示制御部は、前記使用頻度検出部によって検出された使用頻度を前記表示優先度として、前記通信相手先情報を複数有する通信相手先について前記表示優先度が高い前記通信相手先情報を抽出する処理を行うものである。
【００１５】
この発明によれば、表示制御部は、使用頻度検出部によって検出された使用頻度を表示優先度として、通信相手先情報を複数有する通信相手先についての表示対象とする通信相手先情報を判別するので、各通信相手先について操作者が所望する可能性が高い使用頻度が高い通信相手先情報を表示部に表示させることができる。
【００１６】
また、請求項６に記載の発明は、請求項１又は請求項２に記載の画像表示装置であって、前記各通信相手先について、前記通信部による通信に用いられた最新の前記通信相手先情報を検出する最新相手先情報検出部を更に備え、
前記表示制御部は、前記最新相手先情報検出部による検出結果を前記表示優先度として、前記通信相手先情報を複数有する通信相手先について前記表示優先度が高い前記通信相手先情報を抽出する処理を行うものである。
【００１７】
この発明によれば、表示制御部は、最新相手先情報検出部による検出結果を表示優先度として、通信相手先情報を複数有する通信相手先についての表示対象とする通信相手先情報を判別するので、各通信相手先について操作者が所望する可能性が高い最も直近の通信に用いられた通信相手先情報を表示部に表示させることができる。
【００１８】
また、請求項７に記載の発明は、請求項１又は請求項２に記載の画像表示装置であって、前記各通信相手先について、前記通信相手先記憶部に記憶された最新の前記通信相手先情報を検出する最新記憶情報検出部を更に備え、
前記表示制御部は、前記最新記憶情報検出部による検出結果を前記表示優先度として、前記通信相手先情報を複数有する通信相手先について前記表示優先度が高い前記通信相手先情報を抽出する処理を行うものである。
【００１９】
この発明によれば、最新記憶情報検出部による検出結果を表示優先度として、通信相手先情報を複数有する通信相手先についての表示対象とする通信相手先情報を判別するので、各通信相手先について操作者が所望する可能性が高い最も直近に通信相手先記憶部に記憶された通信相手先情報を表示部に表示させることができる。
【００２０】
また、請求項８に記載の発明は、請求項５乃至請求項７のいずれかに記載の画像表示装置であって、各操作者を識別するための識別情報の入力を各操作者別に受け付ける識別情報受付部を更に備え、
前記表示優先度記憶部は、前記通信相手先情報について前記検出結果で示される前記表示優先度を、前記識別情報受付部に受け付けられた前記識別情報毎に記憶し、
前記表示制御部は、前記識別情報毎に、前記表示優先度が高いとされる前記通信相手先情報を前記表示優先度記憶部から抽出するものである。
【００２１】
この発明によれば、表示制御部は、上記識別情報毎に表示優先度に従って、各通信相手先について表示対象とする通信相手先情報を抽出するので、各操作者それぞれにとって真に必要な情報のみを表示部に表示可能となる。
【００２２】
また、請求項９に記載の発明は、請求項１乃至請求項８のいずれかに記載の画像表示装置であって、前記表示制御部は、前記各通信相手先について前記通信相手先情報を前記表示部に表示させるとき、前記通信相手先情報を複数有する通信相手先については、前記表示優先度記憶部に記憶されている前記表示優先度に応じて前記通信相手先情報を抽出して、前記表示部に前記表示優先度順に表示させるものである。
【００２３】
この発明によれば、表示制御部は、表示優先度順に、各通信相手先について抽出した通信相手先情報を表示するので、各操作者は、必要性が高いと想定される順番に整列された通信相手先情報を確認できる。
【００２４】
また、請求項１０に記載の発明は、請求項９に記載の画像表示装置であって、前記表示制御部は、前記抽出した通信相手先情報を、前記優先度順に表示形態を異ならせて前記表示部に表示させるものである。
【００２５】
この発明によれば、表示制御部は、表示優先度順に表示形態を異ならせて、各通信相手先について抽出した通信相手先情報を表示するので、各操作者は、表示されている各通信相手先情報の必要性の如何を容易に確認することができる。
【００２６】
また、請求項１１に記載の発明は、請求項１乃至請求項８のいずれかに記載の画像表示装置であって、前記表示制御部は、前記抽出の対象とはしていない前記通信相手先情報も更に前記表示部に表示させ、前記抽出の対象として抽出した通信相手先情報を、当該抽出の対象とはしていない前記通信相手先情報とは表示形態を異ならせて前記表示部に表示させるものである。
【００２７】
この発明によれば、表示制御部は、抽出の対象とはしていない通信相手先情報も更に表示部に表示させ、抽出の対象として抽出した通信相手先情報を、当該抽出の対象とはしていない通信相手先情報とは表示形態を異ならせて表示部に表示させるので、抽出の対象とされているか否かに関わらず全ての通信相手先情報を確認でき、しかも、上記異なる表示形態に基づいて抽出の対象とされているか否かを容易に認識することができる。
【００２８】
また、請求項１２に記載の発明は、請求項１乃至請求項１１のいずれかに記載の画像表示装置であって、前記送信相手先情報記憶部は、前記通信相手先情報と共にこれに付随する詳細情報を記憶し、
前記表示制御部によって前記表示部に表示されている前記通信相手先情報についての前記詳細情報を表示させる詳細情報表示指示を操作者から受け付ける詳細情報表示指示受付部を更に備え、
前記表示制御部は、前記詳細情報表示指示受付部に前記詳細情報表示指示が受け付けられた通信相手先情報の前記詳細情報を、送信相手先情報記憶部から読み出して、前記表示部に表示させるものである。
【００２９】
この発明によれば、表示制御部は、詳細情報表示指示受付部に詳細情報表示指示が受け付けられた通信相手先情報の詳細情報を、送信相手先情報記憶部から読み出して表示部に表示させるので、操作者に対して、通信相手先について通信相手先情報だけでなく更に詳細な情報も提示可能である。
【００３０】
また、請求項１３に記載の発明は、請求項１乃至請求項１２に記載のいずれかの画像表示装置を備えた通信機器である。
【００３１】
また、請求項１４に記載の発明は、請求項１乃至請求項１２に記載のいずれかの画像表示装置を備えた画像形成装置である。
【００３２】
これらの発明によれば、請求項１乃至請求項１２のいずれかに記載の発明と同様の作用を得ることができる。
【発明の効果】
【００３３】
本発明によれば、通信時には、操作者が真に必要な情報のみを表示部に表示可能になるため、装置に登録されている通信相手先、通信方式及びこれに用いる通信相手先特定情報の中から、今回の通信相手先への通信に用いる通信方式及び通信相手先特定情報を容易に検出することが可能になる。
【図面の簡単な説明】
【００３４】
【図１】本発明の一実施形態に係る画像形成装置の一例である複合機の構成を示す側面概略図である。
【図２】操作部の部分拡大図である。
【図３】図１に示す複合機の制御ブロック図である。
【図４】複合機における通信相手先についての通信相手先情報の表示優先度を設定する際の処理を示すフローチャートである。
【図５】表示部の表示画面の一例を示す図である。
【図６】表示部の表示画面の一例を示す図である。
【図７】表示部の表示画面の一例を示す図である。
【図８】表示部の表示画面の一例を示す図である。
【図９】複合機による通信相手先及び通信相手先情報の表示処理の第１実施形態を示すフローチャートである。表示部の表示画面の一例を示す図である。
【図１０】表示部の表示画面の一例を示す図である。
【図１１】表示部の表示画面の一例を示す図である。
【図１２】複合機による通信相手先及び通信相手先情報の表示処理の第２実施形態を示すフローチャートである。
【図１３】複合機による通信相手先及び通信相手先情報の表示処理の第３実施形態を示すフローチャートである。
【図１４】表示部の表示画面の一例を示す図である。
【図１５】表示部の表示画面の一例を示す図である。
【図１６】第４実施形態に係る処理を実行するための複合機の制御ブロック図である。
【図１７】複合機において通信相手先及びこれに用いる通信相手先情報の抽出に用いる抽出情報を設定する際の処理をフローチャートである。
【図１８】表示部の表示画面の一例を示す図である。
【図１９】表示部の表示画面の一例を示す図である。
【図２０】表示部の表示画面の一例を示す図である。
【図２１】複合機による通信相手先及び通信相手先情報の表示処理の第４実施形態を示すフローチャートである。
【図２２】表示部の表示画面の一例を示す図である。
【図２３】表示部の表示画面の一例を示す図である。
【図２４】複合機による通信相手先及び通信相手先情報表示時の処理の第４実施形態の第１変形形態を示すフローチャートである。
【図２５】複合機による通信相手先及び通信相手先情報表示時の処理の第４実施形態の第２変形形態を示すフローチャートである。
【図２６】表示部の表示画面の一例を示す図である。
【図２７】表示部の表示画面の一例を示す図である。
【図２８】複合機による通信相手先及び通信相手先情報の表示処理の第４実施形態を示すフローチャートである。
【図２９】表示部の表示画面の一例を示す図である。
【図３０】複合機による通信相手先及び通信相手先情報表示時の処理の第５実施形態の第３変形形態を示すフローチャートである。
【図３１】表示部の表示画面の一例を示す図である。
【図３２】表示部の表示画面の一例を示す図である。
【図３３】表示部の表示画面の一例を示す図である。
【発明を実施するための形態】
【００３５】
以下、本発明の一実施形態に係る画像表示装置及び画像形成装置について図面を参照して説明する。図１は、本発明の一実施形態に係る画像形成装置の一例である複合機の構成を示す側面概略図である。図２は、操作部４００の部分拡大図である。以下、本発明の一実施形態に係る画像表示装置による処理を、当該画像表示装置を備えた複合機１の処理として説明する。
【００３６】
複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読取部５００と、原稿読取部５００の上部に配設された原稿給送部６００とから構成される。
【００３７】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートキー４３２、テンキー４３３、及び機能切換キー４３４等を備える。
【００３８】
ヘルプキー４３１は、操作者から、スキャナ機能、ファクシミリ機能、プリンタ機能、コピー機能等に関する各操作方法を表示する操作画面（ヘルプ画面）を表示部４１０に表示させる指示を受け付けるものである。
【００３９】
スタートキー４３２は、コピー動作やスキャン動作等の各動作を開始させる指示を操作者から受け付ける。テンキー４３３は、コピー部数を指定する指示等を操作者から受け付けるキーである。また、本実施形態では、テンキー４３３は、表示部４１０に表示中の操作画面に対応する操作指示の入力に必要な情報（例えば、ユーザボックス番号）の入力を受け付ける情報入力部として機能する。
【００４０】
機能切換キー４３４は、コピー機能、送信機能（スキャナ機能、ファクシミリ機能等）、文書ボックス機能（後述するＨＤＤ７４内の記憶領域（メールボックス）に記憶されているデータを読み出してプリントする機能）等を相互に切り替える機能切換指示を操作者から受け付けるキーである。
【００４１】
表示部４１０は、ＬＣＤ（Liquid Crystal Display）等からなり、タッチパネル機能を組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００４２】
原稿給送部６００は、原稿載置部６０１、給紙ローラ６０２、原稿搬送部６０３及び原稿排出部６０４を備え、原稿読取部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００４３】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００４４】
感光体ドラム２０４は、矢印方向に回転しながら帯電装置（図示省略）によって一様に帯電される。露光装置２０６は、原稿読取部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００４５】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００４６】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００４７】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、ファクシミリ通信部７５、及び報知部７６を備える。
【００４８】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像
に対応する画像を画像処理部２１へ出力する。
【００４９】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００５０】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００５１】
ネットワークＩ／Ｆ部７１は、ネットワークインタフェース（10/100Base-TX）等を用い、ＬＡＮ、又はルータを介したインターネットにより外部装置との間での種々のデータの送受信を制御する。ネットワークＩ／Ｆ部７１は、動作制御部５２１による制御の下、例えば、ＬＡＮにより当該複合機１に接続されたパーソナルコンピュータであって、操作部４００の操作により操作者から指定されたアドレスを有するパーソナルコンピュータに対して、スキャナ部１１によって読み取られた原稿画像データ等を送信して、操作者により指定された当該パーソナルコンピュータ内のフォルダに格納させる。また、ネットワークＩ／Ｆ部７１は、動作制御部５２１による制御の下、例えば、ルータを介してインターネット等により当該複合機１に接続されたコンピュータであって、操作部４００の操作により操作者から指定されたアドレスを有するパーソナルコンピュータに対して、電子メールを送信する。
【００５２】
ＨＤＤ７４は、スキャナ部１１によって読み取られた画像及び当該画像に設定されている出力形式等を記憶する。
【００５３】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。
【００５４】
例えば、表示部４１０には、後述する図６に示すアドレス帳画面Ｃの表示時に、当該画面内に「OK」キー４１１と、キャンセルキー４１２とが表示制御部５２２の表示制御により表示される。
【００５５】
「OK」キー４１１は、アドレス帳画面Ｃに対応する操作指示の入力完了を示す入力完了指示の入力をタッチパネル機能により操作者から受け付けるキーである。
【００５６】
キャンセルキー４１２は、アドレス帳画面Ｃに対応する操作指示が操作者により既に入力済みである場合に、当該入力済みの操作指示の入力を取り消す指示をタッチパネル機能により操作者から受け付けるソフトキーである。
【００５７】
操作キー部４３０には、図２に示した機能切換キー４３４、スタートキー４３２、テンキー４３３等が設けられている。制御部５１のＣＰＵ５２は、上記表示部４１０及び操作部４００の各キーから、操作者によって入力された指示を受け付ける。
【００５８】
ファクシミリ通信部７５は、符号化／復号化部（図示省略）、変復調部（図示省略）及びＮＣＵ（Network Control Unit）（図示省略）を含む。ファクシミリ通信部７５は、動作制御部５２１による制御の下、スキャナ部１１によって読み取られた原稿の画像データを、操作者による操作部４００の操作で指定された通信相手先のファクシミリ装置に、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。また、ファクシミリ通信部７５は、動作制御部５２１による制御の下、操作者による操作部４００の操作で指定された通信相手先のファクシミリ装置、或いは、当該複合機１をファクシミリデータの受信先として指定してくる外部のファクシミリ装置の間で、インターネットファクスによるデータ通信（ｉファクシミリ通信）を行う。
【００５９】
制御部５１は、ＣＰＵ５２と、データ記憶部５０とを備える。ＣＰＵ５２は、複合機１の動作制御を司るものである。データ記憶部５０は、通信相手先記憶部５３と、表示優先度記憶部５４とを備える。
【００６０】
通信相手先記憶部５３は、メモリ等からなり、操作者による操作部４００の操作で入力された、通信方式（ファクシミリ通信、ｉファクス送信、電子メール送信、又は当該複合機１にネットワーク接続されたパーソナルコンピュータへのデータ送信等）と、当該通信方式に用いる通信相手先特定情報（上記電子メールの送信相手先を示すアドレス、原稿画像データの格納先とするパーソナルコンピュータ及びそのフォルダを示すアドレス、ファクシミリ番号等）を、操作者による操作部４００の操作で入力された名称が示す通信相手先に対応付けて記憶する。通信相手先記憶部５３は、１つの通信相手先に対して、通信方式及び通信相手先特定情報の組合せからなる通信相手先情報を複数対応付けて記憶可能である。
【００６１】
表示優先度記憶部５４は、メモリ等からなり、通信相手先記憶部５３に１つの通信相手先に対応付けて記憶されている複数の通信相手先情報から、表示制御部５２２が、各通信相手先について表示対象とする通信相手先情報を抽出する際に用いる表示優先度を、当該通信相手先の各通信相手先情報について記憶する。例えば、表示優先度受付部５２５に、通信相手先についての表示対象とする通信相手先情報の指定が操作者から受け付けられているときは、当該通信相手先情報の指定が、表示優先度「レベル高」として表示優先度記憶部５４に記憶される。また、表示優先度記憶部５４は、使用頻度検出部５２７で検出される使用頻度の値を表示優先度として記憶する。また、表示優先度記憶部５４は、最新相手先情報検出部５２８で検出される最新相手先情報の値を表示優先度として記憶する。また、表示優先度記憶部５４は、最新記憶情報検出部５２９で検出される最新記憶情報の値を表示優先度として記憶する。
【００６２】
ＣＰＵ５２は、動作制御部５２１、表示制御部５２２、通信相手先受付部５２３、抽出指示受付部５２４、表示優先度受付部５２５、識別情報受付部５２６、使用頻度検出部５２７、最新相手先情報検出部５２８、及び最新記憶情報検出部５２９を備える。動作制御部５２１は、複合機１の各部（操作部４００、スキャナ部１１，画像処理部２１、プリンタ部３１等）の動作制御を司る。動作制御部５２１は、例えば、上述したように、上記ネットワークＩ／Ｆ部７１による通信、及び上記ファクシミリ通信部７５による通信を制御する。当該ネットワークＩ／Ｆ部７１及びファクシミリ通信部７５は、特許請求の範囲における通信部の一例である。
【００６３】
表示制御部５２２は、表示部４１０の表示動作を制御する。表示制御部５２２は、図略のデータ記憶部から、操作画面の表示に必要な画像データ等を読み出して、通信相手先記憶部５３に記憶されている各通信相手先及びこれに用いる通信相手先情報と共に、アドレス帳画面Ｃ（後述の図６。通信相手先リスト画面の一例）を生成して、表示部４１０に表示させる。
【００６４】
通信相手先受付部５２３は、表示制御部５２２によって表示部４１０にアドレス帳画面Ｃが表示されているときに、上記ネットワークＩ／Ｆ部７１及びファクシミリ通信部７５による通信を行わせる通信相手先を示す通信相手先を、操作者による操作部４００の操作に基づいて受け付ける。
【００６５】
抽出指示受付部５２４は、表示制御部５２２による上記抽出を実行させる抽出指示を、操作者から操作部４００の操作に基づいて受け付ける。表示制御部５２２は、抽出指示受付部５２４に当該抽出指示が受け付けられたとき、各通信相手先について通信相手先情報を表示部４１０に表示させるときに、通信相手先情報を複数有する通信相手先については、表示優先度記憶部５４に記憶されている表示優先度が高い通信相手先情報を抽出してアドレス帳画面Ｃとして表示部４１０に表示させる。
【００６６】
表示優先度受付部５２５は、表示制御部５２２による表示対象とする通信相手先についての通信相手先情報の指定を、上記表示優先度として操作者から受け付ける。表示制御部５２２は、表示優先度受付部５２５に当該指定が受け付けられている場合には、当該通信相手先情報の指定を表示優先度として、当該表示優先度に従って、各通信相手先情報を複数有する通信相手先について、当該複数通信相手先の中から、表示対象とする通信相手先情報を抽出する。
【００６７】
識別情報受付部５２６は、各操作者を識別するための識別情報（各操作者別に割り振られた各操作者別のＩＤ等）の入力を各操作者別に受け付ける。識別情報受付部５２６に当該識別情報が受け付けられた場合、表示優先度記憶部５４には、表示優先度受付部５２５に受け付けられた識別情報毎に、表示優先度（上記通信相手先情報の指定、使用頻度の値、最新相手先情報の値、又は最新記憶情報の値）が記憶される。表示制御部５２２は、各通信相手先について通信相手先情報を表示部４１０に表示させるとき、表示優先度記憶部５４に記憶されている識別情報毎の表示優先度に従って、識別情報別に、各通信相手先情報を複数有する通信相手先について、当該複数通信相手先の中から、表示対象とする通信相手先情報を抽出する。
【００６８】
使用頻度検出部５２７は、各通信相手先についての各通信相手先情報が上記ネットワークＩ／Ｆ部７１及びファクシミリ通信部７５による通信に用いられた使用頻度（例えば、1週間における使用回数等）を検出する。使用頻度検出部５２７によって検出された使用頻度は表示優先度記憶部５４に表示優先度として記憶され、表示制御部５２２は、当該表示優先度として記憶されている使用頻度の値を表示優先度として、通信相手先情報を複数有する通信相手先についての上記通信相手先情報の抽出を行う。
【００６９】
最新相手先情報検出部５２８は、各通信相手先について、上記ネットワークＩ／Ｆ部７１及びファクシミリ通信部７５による通信に用いられた最新の通信相手先情報を検出する。最新相手先情報検出部５２８によって検出された最新相手先情報は、表示優先度記憶部５４に表示優先度として記憶され、表示制御部５２２は、当該表示優先度として記憶されている最新相手先情報の値を表示優先度として、通信相手先情報を複数有する通信相手先についての上記通信相手先情報の抽出を行う。
【００７０】
最新記憶情報検出部５２９は、各通信相手先について、通信相手先記憶部５３に記憶された最新の通信相手先情報を検出する。最新記憶情報検出部５２９によって検出された最新記憶情報は、表示優先度記憶部５４に表示優先度として記憶され、表示制御部５２２は、当該表示優先度として記憶されている最新記憶情報の値を表示優先度として、通信相手先情報を複数有する通信相手先についての上記通信相手先情報の抽出を行う。
【００７１】
なお、本発明の一実施形態に係る画像表示装置は、操作部４００と、表示部４１０と、表示制御部５２２と、通信相手先受付部５２３、抽出指示受付部５２４、表示優先度受付部５２５、識別情報受付部５２６、使用頻度検出部５２７、最新相手先情報検出部５２８、最新記憶情報検出部５２９、通信相手先記憶部５３、及び表示優先度記憶部５４のうち、後述する各実施形態に係る処理を実行するために必要な各部を備え、これに加えて更に、ネットワークＩ／Ｆ部７１又はファクシミリ通信部７５の少なくとも一方を備えてなる。
【００７２】
なお、本発明の一実施形態に係る表示制御プログラムは、ＨＤＤ７４等の複合機１内の記憶媒体に記憶されており、ＣＰＵ５２が当該表示制御プログラムに従って動作制御を行うことで、上記表示制御部５２２、通信相手先受付部５２３、抽出指示受付部５２４、表示優先度受付部５２５、識別情報受付部５２６、使用頻度検出部５２７、最新相手先情報検出部５２８、及び最新記憶情報検出部５２９として機能し、更に当該ＣＰＵ５２が更に制御部５１のメモリ等を通信相手先記憶部５３及び表示優先度記憶部５４として機能させる。この表示制御プログラムは、ＣＤ−ＲＯＭ又はＤＶＤからの読込、或いは、ネットワークＩ／Ｆ７１によるインターネット上のサーバからダウンロードにより、ＨＤＤ７４等に記憶される。
【００７３】
但し、上記表示制御部５２２、通信相手先受付部５２３、抽出指示受付部５２４、表示優先度受付部５２５、識別情報受付部５２６、使用頻度検出部５２７、最新相手先情報検出部５２８、及び最新記憶情報検出部５２９は、ＣＰＵ５２が上記表示制御プログラムに従って動作制御することで実現されるものに限られず、上記表示制御部５２２、通信相手先受付部５２３、抽出指示受付部５２４、表示優先度受付部５２５、識別情報受付部５２６、使用頻度検出部５２７、最新相手先情報検出部５２８、及び最新記憶情報検出部５２９が回路等によりハード的に備えられていてもよい。
【００７４】
次に、複合機１における通信相手先についての通信相手先情報の表示優先度を設定する際の処理を説明する。図４は、複合機１における通信相手先についての通信相手先情報の表示優先度を設定する際の処理を示すフローチャートである。図５乃至図８は表示部４１０の表示画面の一例を示す図である。
【００７５】
複合機１の主電源が操作者によってオンにされると、表示制御部５２２は、表示部４１０に図５に示すような初期画面Ａを表示させる（Ｓ１）。本実施形態では、表示制御部５２２は、初期画面Ａの一例として、表示部４１０に、コピー機能の動作条件が設定可能な表示画面を表示させる例を示す。
【００７６】
表示制御部５２２が、表示部４１０に初期画面Ａを表示させているときに、操作者により、コピー動作の実行指示等、送信機能以外の他の動作の指示が入力されて動作制御部５２１に受け付けられた場合には（Ｓ２でＮＯ）、当該入力が受け付けられた他の動作が動作制御部５２１により実行される（Ｓ１０）。
【００７７】
表示制御部５２２が、表示部４１０に初期画面Ａを表示させているときに、操作者により操作キー部４３０の機能切換キー４３４をなす例えば送信キー４３４１が押下され、この押下操作に基づいて、複合機１に取得された画像データ等を外部機器に送信する送信機能の開始指示が動作制御部５２１に受け付けられると（Ｓ２でＹＥＳ）、表示制御部５２２は、通信相手先記憶部５３から、全ての通信相手先及びこれに用いられる通信相手先情報を読み出し、図略の記憶部から、操作者から通信相手先の指定を受け付けるためのアドレス帳画面Ｃを表示するために必要な画像データ等を読み出して、これら、全ての通信相手先及びこれに用いられる通信相手先情報と、各上記画像データとを用いて、図６に例を示すようなアドレス帳画面Ｃを生成して、表示部４１０に表示させる（Ｓ３）。
【００７８】
表示制御部５２２によって表示される上記アドレス帳画面Ｃには、表示優先度指定ボタン４１３が表示される。例えば、表示優先度受付部５２５は、表示優先度指定ボタン４１３が押下されて、通信方式及び通信相手先情報の選択を開始する操作者からの指示がタッチパネル機能により受け付けられると（Ｓ４でＹＥＳ）、表示制御部５２２は、図７に例を示すような設定画面Ｄを表示部４１０に表示させる（Ｓ５）。
【００７９】
この設定画面Ｄの表示時に、操作者により、ファクシミリの送信先として示されている「名前:大阪支社  詳細:66-6666-6666」に対応するラジオボタン４１９が押下され、OKボタン４１１が押下されると、このファクシミリの送信先として示されている通信相手先情報「名前:大阪支社  詳細:66-6666-6666」を、通信相手先情報を複数（この例では、「通信方式:ファクシミリ通信，ファクシミリ番号:66-6666-6666」，「通信方式：電子メール，メールアドレス：kyo@ky.jp」）有する通信相手先「大阪支社」について表示対象とする指定を表示優先度（表示優先度「レベル高」）として、表示優先度受付部５２５が操作者から受け付ける（Ｓ６でＹＥＳ）。
【００８０】
すなわち、１つの通信相手先「大阪支社」について複数の通信相手先情報「通信方式：ファクシミリ通信，ファクシミリ番号:66-6666-6666」、と「通信方式：電子メール，メールアドレス：kyo@ky.jp」とが通信相手先記憶部５３に記憶されている場合に、当該ラジオボタン４１９及びOKボタン４１１の押下により指定された「名前:大阪支社  詳細:66-6666-6666」を、通信相手先「大阪支社」についてのアドレス帳画面Ｃでの次回の表示対象として表示優先度受付部５２５が操作者から受け付ける。なお、操作者により、OKボタン４１１を押下する前に、複数のラジオボタン４１９，４２０が押下された場合は、１つの通信相手先「大阪支社」について複数の通信相手先情報「通信方式：ファクシミリ通信，ファクシミリ番号:66-6666-6666」と「通信方式：電子メール，メールアドレス：kyo@ky.jp」とを、通信相手先「大阪支社」についてのアドレス帳画面Ｃでの次回の表示対象として表示優先度受付部５２５が操作者から受け付ける。このように受け付けられた通信相手先情報の指定は、表示優先度記憶部５４に記憶される（Ｓ７）。
【００８１】
この表示優先度受付部５２５による受付後、表示制御部５２２は、表示部４１０の表示画面をアドレス帳画面Ｃに戻す。
【００８２】
さらに、アドレス帳画面Ｃにおいて、識別情報入力ボタン４１４が操作者によって押下されると、表示制御部５２２は、図８に例を示す識別情報入力画面Ｅを表示部４１０に表示させ、例えば操作部４００のテンキー４３３の操作により例えば4桁の数字からなる操作者識別情報（ユーザＩＤ等）が操作者により入力され、OKボタンＢ２が押下され、識別情報受付部５２６に当該入力された識別情報が受け付けられると（Ｓ８でＹＥＳ）、上記Ｓ７で操作者により設定された通信相手先情報と、当該入力された識別情報とが対応付けられて表示優先度記憶部５４に記憶される（Ｓ９）。なお、表示制御部５２２は、操作者による上記識別情報の入力に従って、識別情報入力画面Ｅの識別番号表示欄Ｂ１に、入力された番号を表示させる。
【００８３】
次に、複合機１による通信相手先及び通信相手先情報の表示処理の第１実施形態を説明する。図９は複合機１による通信相手先及び通信相手先情報の表示処理の第１実施形態を示すフローチャート、図１０及び図１１は表示部４１０の表示画面の一例を示す図である。なお、図４で示した処理と同様の処理は説明を省略する。
【００８４】
表示制御部５２２によるアドレス帳画面Ｃ（図６）の表示時に（Ｓ１３）、当該アドレス帳画面Ｃに表示されている優先ボタン４５０が操作者により押下され、タッチパネル機能により操作部４００を介して抽出指示受付部５２４に抽出指示が受け付けられると（Ｓ１４でＹＥＳ）、表示制御部５２２は、通信相手先記憶部５３に記憶されている上記表示優先度に従って、各通信相手先について、指定された通信相手先情報（通信方式及び通信相手先特定情報）を抽出する（Ｓ１５）。
【００８５】
表示制御部５２２は、当該抽出した通信相手先情報（通信方式及び通信相手先特定情報）と、これに対応する各通信相手先とを用いて、図１０に例を示す新たなアドレス帳画面Ｃ２を作成して表示部４１０に表示させる（Ｓ１６）。なお、Ｓ１４において、上記抽出指示が受け付けられない場合は（Ｓ１４でＮＯ）、Ｓ１５及びＳ１６の処理はスキップされる。
【００８６】
この新たなアドレス帳画面Ｃ２の表示時に、当該画面内の詳細ボタン４１７が押下され、更に操作者所望の通信相手先の表示部分が押下され、表示制御部５２２に詳細情報表示指示が受け付けられると（Ｓ１７でＹＥＳ）、表示制御部５２２は、当該通信相手先について通信相手先記憶部５３に記憶されている詳細情報（通信方式、相手先名称、相手先住所、通信相手先特定情報、通信ログ等）を読み出し、図１１に例を示すように、当該詳細情報を示す詳細情報画面Ｄ２を表示部４１０に表示させる（Ｓ１８）。詳細情報画面Ｄ２の表示時にOKボタン４１１が押下されて、タッチパネル機能により操作部４００を介して、表示制御部５２２に、詳細情報画面Ｄ２の表示を終了させる旨の指示が受け付けられると（Ｓ１９でＹＥＳ）、表示制御部５２２は、新たなアドレス帳画面Ｃ２を再度表示部４１０に表示させる（Ｓ２０）。なお、Ｓ１７において、上記詳細表示指示が受け付けられない場合は（Ｓ１７でＮＯ）、Ｓ１８乃至Ｓ２０の処理はスキップしてＳ２１の処理が行われる。
【００８７】
この表示制御部５２２による表示部４１０への新たなアドレス帳画面Ｃ２の表示時に、操作者による操作により、新たなアドレス帳画面Ｃ２における所望の通信相手先の表示部分が押下された後、OKボタン４１１が押下されると、タッチパネル機能により、操作部４００に、当該押下された部分に表示されている通信相手先と、当該通信相手先に対応付けられている通信相手先情報（通信方式及びこれに用いる通信相手先特定情報）とが、今回の通信に用いられる通信相手先及び通信相手先情報として受け付けられ、この通信相手先及び通信相手先情報の受け付け後、操作者によるタッチ操作によりアドレス帳画面ＣにおけるOKボタン４１１が押下されると、通信相手先受付部５２３が当該通信相手先及び通信相手先情報を受け付け（Ｓ２１でＹＥＳ）、動作制御部５２１は、当該受け付けられた通信相手先に、当該受け付けられた通信相手先情報が示す通信方式及び通信相手先特定情報で通信を行う（Ｓ２２）。例えば、新たなアドレス帳画面Ｃ２の表示時に、操作者による操作により、アドレス帳画面Ｃにファクシミリの送信先として示されている通信相手先情報「名前:大阪支社  詳細:66-6666-6666」の表示部分が押下された後、OKボタン４１１が押下されると、ファクシミリ通信部７５により、ファクシミリ番号:66-6666-6666を用いてファクシミリ通信が行われる。
【００８８】
次に、複合機１による通信相手先及び通信相手先情報の表示処理の第２実施形態を説明する。図１２は複合機１による通信相手先及び通信相手先情報の表示処理の第２実施形態を示すフローチャートである。なお、図４又は図９で示した処理と同様の処理は説明を省略する。
【００８９】
この第２実施形態では、複合機１の起動時に、操作者によって識別情報が入力されてログインされており、複合機１が当該操作者毎に対応した内容で表示部４１０の表示制御等を行う場合の処理である。
【００９０】
複合機１の起動時、表示制御部５２２は、表示部４１０に、上記図８に例を示したと同様の識別情報入力画面Ｅを表示させる（Ｓ３１）。この識別情報入力画面Ｅの表示時に、操作者による操作部４００の操作で、操作者固有の上記識別情報が入力され、表示制御部５２２により識別情報が受け付けられると（Ｓ３２でＹＥＳ）、表示制御部５２２は、当該受け付けた識別情報が、抽出情報記憶部５５に記憶されている識別情報に一致するかを判断し（Ｓ３３）、一致すると判断した場合に（Ｓ３３でＹＥＳ）、初期画面Ａを表示させる（Ｓ３４）。
【００９１】
この後、表示制御部５２２がアドレス帳画面Ｃを表示部４１０に表示させている時に、アドレス帳画面Ｃに表示されている優先ボタン４５０が操作者により押下され、抽出指示が受け付けられると（Ｓ３７でＹＥＳ）、表示制御部５２２は、Ｓ３２で受け付けた識別情報に対応付けて表示優先度記憶部５４に記憶されている表示優先度（各通信相手先についての通信相手先情報の指定）を読み出し、当該読み出した表示優先度に基づいて、各通信相手先について、指定された通信相手先情報（通信方式及び通信相手先特定情報）を抽出する（Ｓ３８）。そして、表示制御部５２２は、当該抽出した各通信相手先についての通信相手先（通信方式及び通信相手先特定情報）を表示部４１０に、新たなアドレス帳画面Ｃ２として表示させる（Ｓ３９）。
【００９２】
この表示処理によれば、操作者は、識別情報を複合機１に入力すれば、各通信相手先について操作者自身が指定した通信相手先情報のみをたなアドレス帳画面Ｃ２として表示させることができる。
【００９３】
次に、複合機１による通信相手先及び通信相手先情報の表示処理の第３実施形態を説明する。図１３は複合機１による通信相手先及び通信相手先情報の表示処理の第３実施形態を示すフローチャートである。図１４，図２６，図２７は表示部の表示画面の一例を示す図である。なお、図４，図９又は図１２で示した処理と同様の処理は説明を省略する。
【００９４】
第３実施形態は、表示制御部５２２による各通信相手先についての通信相手先情報（通信方式及び通信相手先特定情報）の抽出について、操作者が選択した表示優先度に基づいて行うものである。
【００９５】
図１３を用いて説明する。この第３実施形態では、表示制御部５２２により表示されるアドレス帳画面Ｃ’には、図１４に例を示すように、抽出方式設定ボタン４５１が表示される（Ｓ１５３）。例えば、表示優先度受付部５２５は、当該抽出方式設定ボタン４５１が押下されて、抽出方式の選択を開始する指示が受け付けられると（Ｓ１５４でＹＥＳ）、表示制御部５２２は、図１５に例を示すような抽出方式設定画面Ｇを表示部４１０に表示させる（Ｓ１５５）。
【００９６】
この抽出方式設定画面Ｇには、表示制御部５２２は、操作者が抽出方式として選択可能な各方式、例えば、使用頻度、最新通信相手先、最新記憶情報を表示させる。操作者により、抽出方式設定画面Ｇに、操作者所望の通信方式（使用頻度、最新通信相手先、最新記憶情報のいずれか）に対応するラジオボタンＧ１，Ｇ２，Ｇ３のいずれかが押下され、OKボタン４１１が押下されると（Ｓ１５６でＹＥＳ）、このラジオボタンに対応する抽出方式（この例では、使用頻度、最新通信相手先、又は最新記憶情報のいずれか）が、表示制御部５２２により上記抽出に用いられる抽出方式として表示制御部５２２に受け付けられる（Ｓ１５７）。この受付後、表示制御部５２２は、アドレス帳画面Ｃを再度表示部４１０に表示させる（Ｓ１５８）。
【００９７】
この後、表示制御部５２２は、上記操作者により選択された抽出方式で、操作者からの抽出指示に従って、各通信相手先についての通信相手先情報の上記抽出を行う（Ｓ１５９，Ｓ１６０）。例えば、操作者により使用頻度が抽出方式として表示制御部５２２に受け付けられている場合は、表示制御部５２２は、各通信相手先に対して記憶されている各通信相手先情報について使用頻度検出部５２７によって検出される使用頻度を参照し、各通信相手先に対して記憶されているそれぞれの通信相手先情報のうち、例えば当該使用頻度が最も高いものを、各通信相手先について表示する通信相手先情報として抽出する。なお、この場合、表示制御部５２２は、使用頻度が予め定められた値に達している全ての通信相手先情報を抽出するようにしてもよい。すなわち、表示制御部５２２は、当該使用頻度が予め定められた値に達している全ての通信相手先情報を示す情報（値）を表示優先度として用いる。
【００９８】
また、例えば、操作者により最新相手先が抽出方式として表示制御部５２２に受け付けられている場合、表示制御部５２２は、最新相手先情報検出部５２８によって検出される最新の通信相手先を、各通信相手先について表示する通信相手先情報として抽出する。なお、この場合、最新相手先情報検出部５２８は、各通信相手先について、上記ネットワークＩ／Ｆ部７１及びファクシミリ通信部７５による通信に用いられた最新の通信相手先情報を検出する。最新相手先情報検出部５２８によって検出された最新相手先情報は、表示優先度記憶部５４に表示優先度として記憶され、表示制御部５２２は、当該表示優先度として記憶されている最新相手先情報の値を表示優先度として、通信相手先情報を複数有する通信相手先についての上記通信相手先情報の抽出を行う。
【００９９】
さらに、この場合、最新相手先情報検出部５２８が、上記ネットワークＩ／Ｆ部７１及びファクシミリ通信部７５による通信に用いられた各通信相手先について通信相手先情報の履歴を記憶しておき、この履歴に基づいて、最新の通信相手先情報から予め定められた数だけの通信相手先情報を全て検出し、表示制御部５２２は、当該検出された全ての通信相手先情報を抽出するようにしてもよい。すなわち、表示制御部５２２は、当該検出された全ての通信相手先情報を示す情報（値）を表示優先度として用いる。
【０１００】
また更に、例えば、操作者により最新記憶情報が抽出方式として表示制御部５２２に受け付けられている場合、表示制御部５２２は、最新記憶情報検出部５２９によって検出される最新記憶情報（通信相手先記憶部５３に最も直近に記憶された通信相手先情報）を、各通信相手先について表示する通信相手先情報として抽出する。
【０１０１】
さらに、この場合、最新記憶情報検出部５２９が、上記通信相手先記憶部５３に記憶された各通信相手先について通信相手先情報の履歴を記憶しておき、この履歴に基づいて、最も直近に記憶された通信相手先情報から予め定められた数だけの通信相手先情報を全て検出し、表示制御部５２２は、当該検出された全ての通信相手先情報を抽出するようにしてもよい。すなわち、表示制御部５２２は、当該検出された全ての通信相手先情報を示す情報（値）を表示優先度として用いる。
【０１０２】
上記のように、表示制御部５２２が、当該通信相手先情報を複数有する通信相手先について、上記表示優先度に応じて複数の通信相手先情報を抽出する場合、当該抽出された通信相手先情報を、上記使用頻度の順、通信に用いられた順番が新しい順、又は通信相手先記憶部５３に記憶された順番が新しい順に（すなわち、当該各順番を表示優先度として用いる）、上から並べて配置した新たなアドレス帳画面Ｃ２（図２６）を作成して表示部４１０に表示させるようにしてもよい。この場合、更に好ましくは、図２７に示すように、表示制御部５２２は、上記抽出した複数の通信相手先情報を、表示優先度順に表示形態を異ならせて（例えば、表示優先度の高いものから低くなるに連れて順に表示形態を小さくして）、表示部４１０に表示させるようにしてもよい。
【０１０３】
但し、表示制御部５２２は、当該表示形態の異ならせ方としては、上記のように表示の大きさを異ならせることの他、色彩を異ならせる（例えば、表示優先度の高いものを赤等認識しやすい色とし、表示優先度が低くなるに連れて順に徐々に認識し易さが劣る色に変更していく等）、フォント等の形状を異ならせる（例えば、表示優先度の高いものゴシック太文字等の認識しやすいフォントとし、表示優先度が低くなるに連れて順に徐々に認識し易さが劣るフォント（明朝細文字等）に変更していく等）等も適用可能である。
【０１０４】
この第３実施形態による表示処理において、図１２に示した第２実施形態と同様に、操作者の識別情報の入力を受け付けるＳ３１乃至Ｓ３３（図１２）と同様の識別情報受付処理を第３実施形態におけるＳ１５１の処理前に適用し、更にＳ１６０による抽出処理において、表示制御部５２２は、上記識別情報受付処理で受け付けた識別情報に対応付けて表示優先度記憶部５４に記憶されている抽出方式を読み出し、当該読み出した抽出方式に基づいて、各通信相手先について、指定された通信相手先情報（通信方式及び通信相手先特定情報）を抽出するようにしてもよい。この場合、当該抽出方式と識別情報との対応付については、図４に示した表示優先度設定処理のＳ４乃至Ｓ７の処理において、各通信相手先についての通信相手先情報（通信方式及びこれに用いる通信相手先特定情報）の指定の受付に代えて、各通信相手先についての抽出方式（この例では、使用頻度、最新通信相手先、又は最新記憶情報のいずれか）の指定の受付を採用し、当該受け付けた抽出方式を同図４のＳ８で受け付けられた識別情報に対応付けて、同図４のＳ９と同様に表示優先度記憶部５４が記憶するようにする、という一連の処理を用いる。
【０１０５】
次に、複合機１による通信相手先及び通信相手先情報の表示処理の第４実施形態を説明する。図２８は複合機１による通信相手先及び通信相手先情報の表示処理の第４実施形態を示すフローチャートである。図２９は表示部の表示画面の一例を示す図である。なお、図４，図９，図１２又は図１３で示した処理と同様の処理は説明を省略する。
【０１０６】
第４実施形態では、表示制御部５２２は、各通信相手先についての通信相手先情報（通信方式及び通信相手先特定情報）を上記表示優先度に応じて抽出して（Ｓ１７５）、抽出方式設定画面Ｇを作成するとき、表示制御部５２２は、当該表示優先度に応じた抽出対象にならない通信相手先情報も更に表示させる抽出方式設定画面Ｇを作成する。このとき、表示制御部５２２は、上記表示優先度に応じて抽出した通信相手先情報を、上記抽出対象ではない通信相手先情報とは表示形態を異ならせた抽出方式設定画面Ｇを作成し、当該抽出方式設定画面Ｇを表示部４１０に表示させる（Ｓ１７６）。
【０１０７】
表示制御部５２２は、例えば、図２９に示すように、上記表示優先度に応じて抽出した通信相手先情報を、上記抽出対象ではない通信相手先情報よりも大きく表示させた抽出方式設定画面Ｇを作成し、当該抽出方式設定画面Ｇを表示部４１０に表示させる。
【０１０８】
但し、表示制御部５２２は、当該表示形態の異ならせ方としては、上記のように表示の大きさを異ならせることの他、色彩を異ならせる（例えば、上記表示優先度に応じて抽出した通信相手先情報を赤等認識しやすい色とし、上記抽出対象ではない通信相手先情報を認識し易さが劣る色とする等）、フォント等の形状を異ならせる（例えば、上記表示優先度に応じて抽出した通信相手先情報をゴシック太文字等の認識しやすいフォントとし、上記抽出対象ではない通信相手先情報を認識し易さが劣るフォント（明朝細文字等）に変更していく等）等の他の表示形態も適用可能である。
【０１０９】
次に、複合機１による通信相手先及び通信相手先情報の表示処理の第５実施形態を説明する。図１６は、第５実施形態に係る処理を実行するための複合機１の制御ブロック図である。なお、図３に示した構成と同様の構成は説明を省略する。
【０１１０】
第５実施形態に係る処理を実行するための複合機１のＣＰＵ５２は、動作制御部５２１、表示制御部５２２、通信相手先受付部５２３、抽出指示受付部５２４、識別情報受付部５２６に加えて、抽出情報受付部５２０を備える。
【０１１１】
抽出情報受付部５２０は、通信相手先記憶部５３に記憶されている通信相手先及びこれに用いる通信相手先情報に対して、表示制御部５２２による表示部４１０への表示対象としての抽出に用いられる抽出情報の入力を操作者から受け付ける。抽出情報記憶部５５は、通信相手先記憶部５３に記憶されている通信相手先及びこれに用いる通信相手先情報に対して、抽出情報受付部５２０で受け付けられた抽出情報を対応付けて記憶する。表示制御部５２２は、各通信相手先及びこれに用いる通信相手先情報を表示部４１０に表示させるとき、抽出情報受付部５２０で受け付けられた抽出情報に対応付けられている通信相手先及び通信相手先情報を通信相手先記憶部５３から抽出して、表示部４１０に表示させる。
【０１１２】
また、抽出情報受付部５２０は、表示制御部５２２による上記抽出に用いられる前記抽出情報の指定を、この指定に従った抽出を行う時間帯の指定と共に操作者から受け付け可能とされている。抽出情報受付部５２０で受け付けられた抽出情報及びこれに対応付けられた時間帯は通信相手先記憶部５３に記憶される。表示制御部５２２は、各通信相手先及びこれに用いる通信相手先情報を表示部４１０に表示させるとき、通信相手先記憶部５３に記憶されている抽出情報及び時間帯（この抽出情報を用いた抽出を行うものとして指定されている時間帯）に従って、通信相手先記憶部５３に記憶される全ての通信相手先及びこれに用いる通信相手先情報から抽出して表示部４１０に表示させる。
【０１１３】
つまり、この第５実施形態では、表示制御部５２２は、通信相手先記憶部５３に記憶されている各通信相手先の中から、操作者により設定された抽出情報に従って、特定の通信相手先を抽出して表示部４１０に表示させる。抽出情報受付部５２０は、通信相手先記憶部５３に記憶されている通信相手先及びこれに用いる通信相手先情報の組合せからなる各組に対して、例えばプライベート又は公共の別を上記抽出情報として受け付ける。そして、表示制御部５２２は、操作者により、プライベートの抽出情報が付された通信相手先及びこれに用いる通信相手先情報を抽出する旨の指示が受け付けられた場合には、通信相手先記憶部５３からプライベートの抽出情報が対応付けられた通信相手先及びこれに用いる通信相手先情報を抽出して、当該抽出した各通信相手先及びこれに用いる通信相手先情報を表示部４１０に表示させる。
【０１１４】
また、操作者から、抽出情報受付部５２０に、抽出を行うべき時間帯を指定してプライベート又は仕事の別が抽出情報として受け付けられている場合は、表示制御部５２２は、例えば時刻計測可能な内蔵タイマにより、指定された各時間帯毎に異なる抽出情報を用いて抽出を行う。例えば、表示制御部５２２は、上記時間帯として、8時から18時までは抽出情報が仕事と指定され、18時から8時までは抽出情報がプライベートと指定されている場合は、8時から18時までは抽出情報が仕事とされている通信相手先及び通信相手先情報を抽出し、18時から8時までは抽出情報がプライベートとされている通信相手先及び通信相手先情報を抽出する。
【０１１５】
また、記憶部５０は、通信相手先記憶部５３と、抽出情報記憶部５５とを備える。抽出情報記憶部５５は、抽出情報受付部５２０に操作者から受け付けられた抽出情報と、時間帯が各抽出情報について指定されている場合は、その時間帯を記憶する。
【０１１６】
次に、当該複合機１において通信相手先及びこれに用いる通信相手先情報の抽出に用いる抽出情報を設定する際の処理を説明する。図１７は、複合機１において通信相手先及びこれに用いる通信相手先情報の抽出に用いる抽出情報を設定する際の処理をフローチャートである。なお、図４に示した処理と同様の処理は説明を省略する。
【０１１７】
表示制御部５２２が、全ての通信相手先及びこれに用いられる通信相手先情報を表示するアドレス帳画面Ｃを表示部４１０の表示画面としている時（Ｓ６３）、図１８に例を示すように、当該アドレス帳画面Ｃには抽出情報受付ボタン４１８が表示される。この抽出情報受付ボタン４１８は、操作者から、通信相手先及び通信相手先情報について抽出情報の設定を開始する指示をタッチパネル機能により受け付けるためのボタンである。
【０１１８】
ここで、抽出情報受付部５２０は、例えば、操作者により、抽出情報受付ボタン４１８と、抽出情報を設定したい所望の通信相手先及び通信相手先情報の表示部分が押下されることで、操作者から、抽出情報の設定対象とする通信相手先及び通信相手先情報の指定と、通信相手先及び通信相手先情報について抽出情報の設定を開始する指示とが抽出情報受付部５２０にタッチパネル機能により受け付けられると（Ｓ６４でＹＥＳ）、表示制御部５２２は、図１９に例を示すような抽出情報設定画面Ｈを表示部４１０に表示させる（Ｓ６５）。
【０１１９】
この抽出情報設定画面Ｈの表示時に、上記抽出情報の設定対象とする通信相手先及び通信相手先情報を表示するファクシミリ通信先「名前:大阪支社  詳細:66-6666-6666」に対応して設けられているプライベートラジオボタンＨ１と仕事ラジオボタンＨ２とのうち、プライベートラジオボタンＨ１が操作者により押下され、OKボタン４１１が押下されると（Ｓ６６でＹＥＳ）、抽出情報として「プライベート」が抽出情報受付部５２０に受け付けられ、当該ファクシミリ通信先「名前:大阪支社  詳細:66-6666-6666」と、抽出情報「プライベート」とが対応付けられ、当該対応付及び抽出情報「プライベート」が抽出情報記憶部５５に記憶される（Ｓ６７）。
【０１２０】
この抽出情報受付部５２０による抽出情報の受付後、表示制御部５２２は、表示部４１０の表示画面をアドレス帳画面Ｃに戻す。
【０１２１】
さらに、アドレス帳画面Ｃにおいて、識別情報入力ボタン４１４が操作者によって押下されると、表示制御部５２２は、図８に例を示した識別情報入力画面Ｅを表示部４１０に表示させ、この表示時に、操作者識別情報（ユーザＩＤ等）が操作者により入力され、OKボタンＢ２が押下されると、識別情報受付部５２６に当該入力された識別情報が受け付けられ（Ｓ６８でＹＥＳ）、上記通信相手先及び通信相手先情報に対応付けてＳ６７で抽出情報記憶部５５に記憶された識別情報に、当該入力された識別情報が抽出情報記憶部５５に記憶される（Ｓ６９）。なお、操作者識別情報が操作者により入力されずに、OKボタンＢ２が押下された場合は（Ｓ６８でＮＯ）、処理はＳ７０にスキップする。
【０１２２】
この抽出情報受付部５２０による抽出情報の受付後、表示制御部５２２は、表示部４１０の表示画面をアドレス帳画面Ｃに戻す。
【０１２３】
続いて、アドレス帳画面Ｃに示す時間帯設定ボタン４５２が操作者により押下され、タッチパネル機能により、時間帯設定処理を開始する旨の指示が抽出情報受付部５２０に受け付けられると、表示制御部５２２は、図２０に例を示す時間帯設定画面Ｉを表示部４１０に表示させ、更に、この表示時に、操作者により所望の抽出情報（この実施形態では、プライベート又は仕事）に対応付けられたラジオボタンＩ１，Ｉ２のいずれかが押下されることで、時間帯対応付の対象とする抽出情報が操作者により選択された上で、操作者による操作部４００のテンキー４３３の操作等により所望の時間帯が入力され、OKボタン４１１が押下されることで、各抽出情報についての時間帯が指定されると（Ｓ７０でＹＥＳ）、当該指定された時間帯を抽出情報受付部５２０が受け付け、当該受け付けられた抽出情報及びこれについての時間帯が抽出情報記憶部５５に記憶される（Ｓ７１）。なお、操作者は、時間帯設定ボタン４５２を押下せずに、上記時間帯設定を行わないことも可能である（Ｓ７０でＮＯ）。
【０１２４】
なお、Ｓ６４乃至Ｓ７１により、抽出情報及び識別情報の設定は、各通信相手先及びこれに用いられる通信相手先情報の全てについて設定が可能とされている。
【０１２５】
図２１は、複合機１による通信相手先及び通信相手先情報の表示処理の第５実施形態を示すフローチャートである。なお、なお、図４，図９，図１２，図１３又は図２８に示した処理と同様の処理は説明を省略する。
【０１２６】
表示制御部５２２により、通信相手先記憶部５３に記憶されている全ての通信相手先及びこれに用いられる通信相手先情報を用いてアドレス帳画面Ｃ（例えば図１８）を表示しているとき、このアドレス帳画面Ｃに表示されている優先ボタン４５０が操作者により押下され、抽出指示が受け付けられると（Ｓ８４でＹＥＳ）、表示制御部５２２は、表示部４１０に、図２２に例を示すようなプルアップメニュー４３５の表示により、操作者により設定されている全ての抽出情報を表示し（Ｓ８５）、ここで、操作者所望の抽出情報の表示部分、例えば、プライベート表示部分が操作者により押下され、表示制御部５２２に当該プライベートの抽出情報の指定が受け付けられると（Ｓ８６でＹＥＳ）、表示制御部５２２は、当該指定された抽出情報、本実施形態ではプライベートの抽出情報に対応付けられている各通信相手先及び通信相手先情報を、抽出情報記憶部５５に記憶されている内容に基づいて判断し、当該指定された抽出情報に対応付けられている各通信相手先及び通信相手先情報を抽出する（Ｓ８７）。表示制御部５２２は、当該抽出結果を用いて、図２３に例を示す新たなアドレス帳画面Ｃ３を生成し、表示部４１０に表示させる（Ｓ８８）。
【０１２７】
この新たなアドレス帳画面Ｃ３（又はアドレス帳画面Ｃ）の表示時に、詳細ボタン４１７が押下され、更に操作者所望の通信相手先の表示部分が押下されると（Ｓ８９でＹＥＳ）、表示制御部５２２は、当該通信相手先について通信相手先記憶部５３に記憶されている詳細情報を読み出し、図１１に例を示したように、詳細情報画面Ｄ２により、当該詳細情報を表示部４１０に表示させる（Ｓ９０）。
【０１２８】
詳細情報画面Ｄ２の表示時にOKボタン４１１が操作者により押下され、タッチパネル機能により操作部４００を介して、表示制御部５２２に、詳細情報画面Ｄ２の表示を終了させる旨の指示が受け付けられると（Ｓ９１でＹＥＳ）、表示制御部５２２は、新たなアドレス帳画面Ｃ３（新たなアドレス帳画面Ｃ３が生成されていない場合はアドレス帳画面Ｃ）を再度表示部４１０に表示させる（Ｓ９２）。なお、Ｓ８９において、上記詳細表示指示が受け付けられない場合は（Ｓ８９でＮＯ）、Ｓ９０及びＳ９１の処理はスキップしてＳ９２の表示処理が表示制御部５２２により行われる。
【０１２９】
この表示制御部５２２による表示部４１０への新たなアドレス帳画面Ｃ３（又はアドレス帳画面Ｃ）の表示時に、操作者によるタッチ操作により、新たなアドレス帳画面Ｃ３における所望の通信相手先の表示部分が押下されると、タッチパネル機能により、操作部４００を介して通信相手先受付部５２３に、当該押下された部分に表示されている通信相手先と、当該通信相手先に対応付けて通信相手先記憶部５３に記憶されている通信方式とが、今回の通信相手先及び通信方式として受け付けられる（Ｓ９３でＹＥＳ）。
【０１３０】
Ｓ９３での通信相手先及び通信方式の受け付けの後、操作者によるタッチ操作によりアドレス帳画面Ｃ３（又はアドレス帳画面Ｃ）におけるOKボタン４１１が押下されると、動作制御部５２１は、当該受け付けられた通信相手先に、当該受け付けられた通信方式で通信を行う（Ｓ２２）。
【０１３１】
次に、複合機１による通信相手先及び通信相手先情報表示時の処理の第５実施形態の第１変形形態を説明する。図２４は、複合機１による通信相手先及び通信相手先情報表示時の処理の第５実施形態の第１変形形態を示すフローチャートである。なお、図２１等に示した処理と同様の処理は説明を省略する。
【０１３２】
この第１変形形態では、表示制御部５２２により、通信相手先記憶部５３に記憶されている全ての通信相手先及びこれに用いられる通信相手先情報を用いてアドレス帳画面Ｃが表示されているとき、このアドレス帳画面Ｃに表示されている優先ボタン４５０が操作者により押下されて抽出指示が受け付けられると（Ｓ１０４でＹＥＳ）、表示制御部５２２は、例えば内蔵するタイマにより現在の時刻を判断し、現在時刻が属する時間帯に対応付けられて抽出情報記憶部５５に記憶されている抽出情報を判別し（Ｓ１０５）、当該抽出情報に対応付けられている通信相手先及び通信相手先情報の組みの全てを通信相手先記憶部５３から抽出する（Ｓ１０６）。表示制御部５２２は、当該抽出結果を用いて、図２３に例を示したような新たなアドレス帳画面Ｃ３を生成して、表示部４１０に表示させる（Ｓ１０７）。この後のＳ１０８乃至Ｓ１１４の処理は、図２１に示した処理と同様である。
【０１３３】
次に、複合機１による通信相手先及び通信相手先情報表示時の処理の第５実施形態の第２変形形態を説明する。図２５は、複合機１による通信相手先及び通信相手先情報表示時の処理の第５実施形態の第２変形形態を示すフローチャートである。なお、図２１，図２４等に示した処理と同様の処理は説明を省略する。
【０１３４】
この第２変形実施形態でも、複合機１の起動時に表示制御部５２２により表示されるログイン画面Ｆ（例えば図８）での操作者による操作により識別情報が受け付けられた後（Ｓ１２１でＹＥＳ，Ｓ１２２）、アドレス帳画面Ｃ（例えば図６）を表示させているときに（Ｓ１２３）、優先ボタン４５０が操作者により押下され、抽出指示が抽出指示受付部５２４に受け付けられると（Ｓ１２６でＹＥＳ）、表示制御部５２２は、Ｓ１２２で受け付けられた識別情報に対応付けて抽出情報記憶部５５に記憶されている、現在の時間帯に属する抽出情報を判別し（Ｓ１２７）、当該判別した抽出情報に対応付けられている通信相手先及び通信相手先情報の組みを全て通信相手先記憶部５３から抽出する（Ｓ１２８）。表示制御部５２２は、当該抽出結果を用いて、図２３に例を示したような新たなアドレス帳画面Ｃ３を生成して、表示部４１０に表示させる（Ｓ１２９）。この後のＳ１３０乃至Ｓ１３６の処理は、図２１，図２４に示した処理と同様である。
【０１３５】
次に、複合機１による通信相手先及び通信相手先情報表示時の処理の第５実施形態の第３変形形態を説明する。図３０は、複合機１による通信相手先及び通信相手先情報表示時の処理の第５実施形態の第３変形形態を示すフローチャートである。なお、図２１，図２４，図２５等に示した処理と同様の処理は説明を省略する。図３１は表示画面の一例を示す図である。
【０１３６】
この第３変形形態では、表示制御部５２２は、指定された抽出情報に対応付けられている通信相手先及び通信相手先情報を抽出して（Ｓ２０７）、表示制御部５２２が、新たなアドレス帳画面Ｃ３を生成するとき、表示制御部５２２は、当該抽出情報に応じた抽出対象にならない通信相手先情報及び通信相手先情報をも更に表示させる新たなアドレス帳画面Ｃ３を生成する。このとき、表示制御部５２２は、例えば、図３１に示すように、上記抽出情報に応じて抽出した通信相手先情報及び通信相手先情報を、上記抽出対象ではない通信相手先情報及び通信相手先とは区分けして、表示順を混在させないようにした新たなアドレス帳画面Ｃ３を作成し、当該新たなアドレス帳画面Ｃ３を表示部４１０に表示させる（Ｓ２０８）。なお、図３１では、表示制御部５２２にプライベートの抽出情報の指定が受け付けられ、表示制御部５２２は、当該指定されたプライベートの抽出情報に対応付けられている各通信相手先及び通信相手先情報を抽出する場合を例にして示している。
【０１３７】
また、表示制御部５２２は、上記Ｓ２０８の処理において、例えば、図３２に示すように、上記抽出情報に応じて抽出した通信相手先情報及び通信相手先情報を、上記抽出対象ではない通信相手先情報及び通信相手先とは区分けした上で、対応付けられている抽出情報毎に通信相手先情報及び通信相手先情報の表示形態を異ならせた新たなアドレス帳画面Ｃ３を作成し、当該新たなアドレス帳画面Ｃ３を表示部４１０に表示させてもよい。なお、図３２では、表示制御部５２２にプライベートの抽出情報の指定が受け付けられ、表示制御部５２２は、当該指定されたプライベートの抽出情報に対応付けられている各通信相手先及び通信相手先情報を抽出する場合を例にして示している。
【０１３８】
なお、表示制御部５２２は、上記Ｓ２０８の処理において、上記抽出情報に応じて抽出した通信相手先情報及び通信相手先情報を、上記抽出対象ではない通信相手先情報及び通信相手先とは区分けして表示するが、当該区分けを行わずに、例えば、図３３に示すように、対応付けられている抽出情報毎に通信相手先情報及び通信相手先情報の表示形態を異ならせた新たなアドレス帳画面Ｃ３を作成し、当該新たなアドレス帳画面Ｃ３を表示部４１０に表示させてもよい。なお、図３３では、表示制御部５２２にプライベートの抽出情報の指定が受け付けられ、表示制御部５２２は、当該指定されたプライベートの抽出情報に対応付けられている各通信相手先及び通信相手先情報を抽出する場合を例にして示している。
【０１３９】
この第３変形形態による表示処理において、図２４に示した第１変形形態と同様に、時間帯に属する抽出情報に対応付けられた通信相手先情報及び通信相手先情報を抽出するＳ１０５及びＳ１０６と同様の識別情報受付処理を、第３変形形態におけるＳ２０５乃至Ｓ２０７の処理に代えて適用するようにしてもよい。
【０１４０】
また、この第３変形形態による表示処理において、図２５に示した第２変形形態と同様に、入力された識別情報が示す操作者により指定された時間帯に属する抽出情報に対応付けられた通信相手先情報及び通信相手先情報を抽出するようにしてもよい。この場合、図２５に示した第２変形形態におけるＳ１２０乃至Ｓ１２８の処理を、第３変形形態におけるＳ２０１乃至Ｓ２０７の処理に代えて適用するようにしてもよい。
【０１４１】
但し、表示制御部５２２は、当該表示形態の異ならせ方としては、上記に示した表示の大きさを異ならせることの他、色彩を異ならせる、フォント等の形状を異ならせる等の他の表示形態も適用可能である。
【０１４２】
なお、本発明は上記実施の形態の構成に限られず種々の変形が可能である。上記図１乃至図３３に示した実施形態に係る構成及び処理は、本発明に係る表示制御装置及び画像形成装置の構成及び処理の単なる一例に過ぎず、本発明に係る表示制御装置及び画像形成装置の構成及び処理を上記に示した内容に限定するものではない。
【０１４３】
例えば、上記各実施形態及び変形形態として示した複合機１の複合機１による通信相手先及び通信相手先情報の表示処理においては、表示制御部５２２による上記抽出処理は、抽出指示受付部５２４に操作者からの抽出指示が受け付けられた場合に行われるものとして説明しているが、当該抽出指示受付部５２４での抽出指示の受付なしに、表示制御部５２２が上記抽出処理を行うものとしてもよい。
【０１４４】
また、上記各実施形態に示した複合機１における通信相手先についての通信相手先情報の表示優先度又は抽出情報を設定する際の処理では、操作者から識別情報の入力を受け付けて、表示優先度や抽出情報に対応付けられ、上記各実施形態及び変形形態として示した複合機１の複合機１による通信相手先及び通信相手先情報の表示処理では、上記識別情報が示す操作者毎に、表示制御部５２２が上記抽出を行うものとしているが、上記表示優先度又は抽出情報を設定する際の処理において識別情報の入力受付処理を行わず、表示制御部５２２は、上記表示処理における上記抽出処理を、上記識別情報が示す操作者毎には行わないものとしてもよい。
【０１４５】
また、上記各実施形態及び変形形態として示した複合機１の複合機１による通信相手先及び通信相手先情報の表示処理においては、表示制御部５２２に詳細情報表示指示が受け付けられた場合に、表示制御部５２２は、当該通信相手先について通信相手先記憶部５３に記憶されている詳細情報を読み出して、例えば詳細情報画面Ｄ２により、当該詳細情報を表示部４１０に表示させるものとしているが、当該通信相手先及び通信相手先情報の表示処理においては、この詳細情報の表示処理を行わないようにしてもよい。
【０１４６】
また、上記各実施形態では、本発明に係る画像形成装置を複合機１として説明したが、本発明に係る画像形成装置は複合機に限定されず、コピー機、ファクシミリ装置、プリンタ等でも構わない。さらには、本発明は、画像形成装置に限定されず、他の通信機器、例えば、携帯電話、データ通信が可能なモバイル機器等でも構わない。
【符号の説明】
【０１４７】
１          複合機
５０        データ記憶部
５１        制御部
５２        ＣＰＵ
５３        通信相手先記憶部
５４        表示優先度記憶部
５５        抽出情報記憶部
７１        ネットワークＩ／Ｆ部
７５        ファクシミリ通信部
４００      操作部
４１０      表示部
５２０      抽出情報受付部
５２１      動作制御部
５２２      表示制御部
５２３      通信相手先受付部
５２４      抽出指示受付部
５２５      表示優先度受付部
５２６      識別情報受付部
５２７      使用頻度検出部
５２８      最新相手先情報検出部
５２９      最新記憶情報検出部
【図１】
2011171845.tif 000003
【図２】
2011171845.tif 000004
【図３】
2011171845.tif 000005
【図４】
2011171845.tif 000006
【図５】
2011171845.tif 000007
【図６】
2011171845.tif 000008
【図７】
2011171845.tif 000009
【図８】
2011171845.tif 000010
【図９】
2011171845.tif 000011
【図１０】
2011171845.tif 000012
【図１１】
2011171845.tif 000013
【図１２】
2011171845.tif 000014
【図１３】
2011171845.tif 000015
【図１４】
2011171845.tif 000016
【図１５】
2011171845.tif 000017
【図１６】
2011171845.tif 000018
【図１７】
2011171845.tif 000019
【図１８】
2011171845.tif 000020
【図１９】
2011171845.tif 000021
【図２０】
2011171845.tif 000022
【図２１】
2011171845.tif 000023
【図２２】
2011171845.tif 000024
【図２３】
2011171845.tif 000025
【図２４】
2011171845.tif 000026
【図２５】
2011171845.tif 000027
【図２６】
2011171845.tif 000028
【図２７】
2011171845.tif 000029
【図２８】
2011171845.tif 000030
【図２９】
2011171845.tif 000031
【図３０】
2011171845.tif 000032
【図３１】
2011171845.tif 000033
【図３２】
2011171845.tif 000034
【図３３】
2011171845.tif 000035
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
通信を行う通信部と、
前記通信部による通信対象となる各通信相手先について、通信方式及び当該通信方式に用いる通信相手先特定情報の組合せである通信相手先情報を複数記憶可能な通信相手先記憶部と、
前記通信相手先及び通信相手先情報を表示する表示部と、
前記通信相手先記憶部に記憶されている前記各通信相手先についての前記通信相手先情報を前記表示部に表示させる表示制御部と、
前記通信相手先についての前記通信相手先情報が前記表示制御部によって前記表示部に表示されているときに、前記通信部に通信を行わせる通信相手先を前記通信相手先情報と共に操作者から受け付ける通信相手先受付部と、
前記１つの通信相手先に対して前記通信相手先情報が複数記憶されている場合に、当該通信相手先の各通信相手先情報について、前記表示制御部による前記表示部への表示優先度を記憶する表示優先度記憶部とを備え、
前記表示制御部は、前記各通信相手先について前記通信相手先情報を前記表示部に表示させるとき、前記通信相手先情報を複数有する通信相手先については、前記表示優先度記憶部に記憶されている前記表示優先度に応じて前記通信相手先情報を前記通信相手先記憶部から抽出して、前記表示部に表示させる画像表示装置。
【請求項２】
前記表示制御部による前記抽出を実行させる抽出指示を操作者から受け付ける抽出指示受付部を更に備え、
前記表示制御部は、前記抽出指示受付部に前記抽出指示が受け付けられた場合に、前記通信相手先情報を複数有する通信相手先について前記表示優先度が高い前記通信相手先情報を抽出する処理を行う請求項１に記載の画像表示装置。
【請求項３】
前記通信相手先について前記表示制御部による表示対象とする前記通信相手先情報の指定を、前記表示優先度として操作者から受け付ける表示優先度受付部を更に備え、
前記表示優先度記憶部は、前記表示優先度受付部によって受け付けられた前記通信相手先情報の指定を前記表示優先度として記憶し、
前記表示制御部は、前記通信相手先情報の指定からなる前記表示優先度を有する前記通信相手先情報を、前記表示優先度が高い前記通信相手先情報として抽出する請求項１又は請求項２に記載の画像表示装置。
【請求項４】
各操作者を識別するための識別情報の入力を各操作者別に受け付ける識別情報受付部を更に備え、
前記表示優先度記憶部は、前記表示優先度受付部で受け付けられた前記通信相手先情報の前記指定と、当該通信相手先情報に対応付けられた前記識別情報とを前記表示優先度として記憶し、
前記表示制御部は、前記識別情報毎に、前記表示優先度が高いとされる前記通信相手先情報を抽出する請求項３に記載の画像表示装置。
【請求項５】
前記各通信相手先についての前記各通信相手先情報が前記通信部による通信に用いられた使用頻度を検出する使用頻度検出部を更に備え、
前記表示制御部は、前記使用頻度検出部によって検出された使用頻度を前記表示優先度として、前記通信相手先情報を複数有する通信相手先について前記表示優先度が高い前記通信相手先情報を抽出する処理を行う請求項１又は請求項２に記載の画像表示装置。
【請求項６】
前記各通信相手先について、前記通信部による通信に用いられた最新の前記通信相手先情報を検出する最新相手先情報検出部を更に備え、
前記表示制御部は、前記最新相手先情報検出部による検出結果を前記表示優先度として、前記通信相手先情報を複数有する通信相手先について前記表示優先度が高い前記通信相手先情報を抽出する処理を行う請求項１又は請求項２に記載の画像表示装置。
【請求項７】
前記各通信相手先について、前記通信相手先記憶部に記憶された最新の前記通信相手先情報を検出する最新記憶情報検出部を更に備え、
前記表示制御部は、前記最新記憶情報検出部による検出結果を前記表示優先度として、前記通信相手先情報を複数有する通信相手先について前記表示優先度が高い前記通信相手先情報を抽出する処理を行う請求項１又は請求項２に記載の画像表示装置。
【請求項８】
各操作者を識別するための識別情報の入力を各操作者別に受け付ける識別情報受付部を更に備え、
前記表示優先度記憶部は、前記通信相手先情報について前記検出結果で示される前記表示優先度を、前記識別情報受付部に受け付けられた前記識別情報毎に記憶し、
前記表示制御部は、前記識別情報毎に、前記表示優先度が高いとされる前記通信相手先情報を抽出する請求項５乃至請求項７のいずれかに記載の画像表示装置。
【請求項９】
前記表示制御部は、前記各通信相手先について前記通信相手先情報を前記表示部に表示させるとき、前記通信相手先情報を複数有する通信相手先については、前記表示優先度記憶部に記憶されている前記表示優先度に応じて前記通信相手先情報を抽出して、前記表示部に前記表示優先度順に表示させる請求項１乃至請求項８のいずれかに記載の画像表示装置。
【請求項１０】
前記表示制御部は、前記抽出した通信相手先情報を、前記優先度順に表示形態を異ならせて前記表示部に表示させる請求項９に記載の画像表示装置。
【請求項１１】
前記表示制御部は、前記抽出の対象とはしていない前記通信相手先情報も更に前記表示部に表示させ、前記抽出の対象として抽出した通信相手先情報を、当該抽出の対象とはしていない前記通信相手先情報とは表示形態を異ならせて前記表示部に表示させる請求項１乃至請求項８のいずれかに記載の画像表示装置。
【請求項１２】
前記通信相手先情報記憶部は、前記通信相手先情報と共にこれに付随する詳細情報を記憶し、
前記表示制御部によって前記表示部に表示されている前記通信相手先情報についての前記詳細情報を表示させる詳細情報表示指示を操作者から受け付ける詳細情報表示指示受付部を更に備え、
前記表示制御部は、前記詳細情報表示指示受付部に前記詳細情報表示指示が受け付けられた通信相手先情報の前記詳細情報を、前記通信相手先情報記憶部から読み出して、前記表示部に表示させる請求項１乃至請求項１１のいずれかに記載の画像表示装置。
【請求項１３】
請求項１乃至請求項１２のいずれかに記載の画像表示装置を備えた通信機器。
【請求項１４】
請求項１乃至請求項１２のいずれかに記載の画像表示装置を備えた画像形成装置。
【手続補正２】
【補正対象書類名】明細書
【補正対象項目名】全文
【補正方法】変更
【補正の内容】
【発明の詳細な説明】
【技術分野】
【０００１】
本発明は、画像表示装置、通信機器、及び画像形成装置に関し、特に、ファクシミリや電子メール等の通信時に、各通信相手先について記憶されている通信方式及び当該通信方式に用いる通信相手先特定情報を表示部に表示させる際の技術に関する。
【背景技術】
【０００２】
従来から、特許文献１に示されるように、操作者により指定された通信相手先に、ファクシミリ通信、電子メール送信等の通信を行う通信機器が知られている。このような通信機器では、機器に登録されている１つの通信相手先には、ファクシミリ通信、電子メール送信、ネットワーク接続されたパーソナルコンピュータへのスキャンデータ送信等のために、複数の通信方式と、当該通信方式に用いるファクシミリ番号、メールアドレス又はIPアドレス等の通信相手先特定情報とを付随させて記憶可能とされている。
【先行技術文献】
【特許文献】
【０００３】
【特許文献１】特開２００８−２２２７９号公報
【発明の概要】
【発明が解決しようとする課題】
【０００４】
しかしながら、上記従来の通信機器では、１つの通信相手先について通信方式及びこれに用いる通信相手先特定情報が複数登録されている場合、操作者が通信開始時に、通信相手先、通信方式及びこれに用いる通信相手先特定情報を選択する際、各通信相手先について登録されている通信方式及びこれに用いる通信相手先特定情報が全て表示されるため、操作者にとって表示内容が煩雑になる。このため、操作者が、当該煩雑に表示された通信相手先、通信方式及びこれに用いる通信相手先特定情報の中から、今回の通信相手先への通信に用いる通信方式及び通信相手先特定情報を探し出すことは容易ではない。
【０００５】
本発明は、上記の問題を解決するためになされたもので、通信時に、操作者が、機器に登録されている通信相手先、通信方式及びこれに用いる通信相手先特定情報の中から、通信相手先への通信に用いる通信方式及び通信相手先特定情報を容易に指定できるようにすることを目的とする。
【課題を解決するための手段】
【０００６】
本発明の請求項１に記載の発明は、通信を行う通信部と、
前記通信部による通信対象となる各通信相手先について、通信方式及び当該通信方式に用いる通信相手先特定情報の組合せである通信相手先情報を複数記憶可能な通信相手先記憶部と、
前記通信相手先及び通信相手先情報を表示する表示部と、
前記通信相手先記憶部に記憶されている前記各通信相手先についての前記通信相手先情報を前記表示部に表示させる表示制御部と、
前記通信相手先についての前記通信相手先情報が前記表示制御部によって前記表示部に表示されているときに、前記通信部に通信を行わせる通信相手先を前記通信相手先情報と共に操作者から受け付ける通信相手先受付部と、
前記１つの通信相手先に対して前記通信相手先情報が複数記憶されている場合に、当該通信相手先の各通信相手先情報について、前記表示制御部による前記表示部への表示優先度を記憶する表示優先度記憶部とを備え、
前記表示制御部は、前記各通信相手先について前記通信相手先情報を前記表示部に表示させるとき、前記通信相手先情報を複数有する通信相手先については、前記表示優先度記憶部に記憶されている前記表示優先度に応じて前記通信相手先情報を前記通信相手先記憶部から抽出して、前記表示部に表示させる画像表示装置である。
【０００７】
この発明によれば、表示制御部は、各通信相手先について、通信方式及び当該通信方式に用いる通信相手先特定情報の組合せである通信相手先情報を表示部に表示させるとき、当該通信相手先情報を複数有する通信相手先については、表示対象とする通信相手先情報の数を、表示優先度に従って絞った上で表示する。これにより、通信時には、通信相手先についての通信方式及び通信相手先特定情報の表示が煩雑になることを回避できるため、操作者は、装置に登録されている通信相手先、通信方式及びこれに用いる通信相手先特定情報の中から、今回の通信相手先への通信に用いる通信方式及び通信相手先特定情報を容易に指定することが可能になる。
【０００８】
また、請求項２に記載の発明は、請求項１に記載の画像表示装置であって、前記表示制御部による前記抽出を実行させる抽出指示を操作者から受け付ける抽出指示受付部を更に備え、
前記表示制御部は、前記抽出指示受付部に前記抽出指示が受け付けられた場合に、前記通信相手先情報を複数有する通信相手先について前記表示優先度が高い前記通信相手先情報を抽出する処理を行うものである。
【０００９】
この発明によれば、表示制御部は、抽出指示受付部に前記抽出指示が受け付けられた場合に、各通信相手先について、上記表示優先度が高い通信相手先情報を抽出して表示部に表示させるので、操作者は、必要に応じて、各通信相手先について記憶されている全ての通信相手先情報を表示させるか、上記抽出された通信相手先情報を表示させるかを選択することができる。
【００１０】
また、請求項３に記載の発明は、請求項１又は請求項２に記載の画像表示装置であって、前記通信相手先について前記表示制御部による表示対象とする前記通信相手先情報の指定を、前記表示優先度として操作者から受け付ける表示優先度受付部を更に備え、
前記表示優先度記憶部は、前記表示優先度受付部によって受け付けられた前記通信相手先情報の指定を前記表示優先度として記憶し、
前記表示制御部は、前記通信相手先情報の指定からなる前記表示優先度を有する前記通信相手先情報を、前記表示優先度が高い前記通信相手先情報として抽出するものである。
【００１１】
この発明によれば、表示制御部は、表示優先度受付部に操作者から受け付けられた指定が示す表示優先度に従って、各通信相手先について表示対象とする通信相手先情報を抽出するので、各通信相手先についての操作者所望の通信相手先情報を表示部に表示できる。
【００１２】
また、請求項４に記載の発明は、請求項３に記載の画像表示装置であって、各操作者を識別するための識別情報の入力を各操作者別に受け付ける識別情報受付部を更に備え、
前記表示優先度記憶部は、前記表示優先度受付部で受け付けられた前記通信相手先情報の前記指定と、当該通信相手先情報に対応付けられた前記識別情報とを前記表示優先度として記憶し、
前記表示制御部は、前記識別情報毎に、前記表示優先度が高いとされる前記通信相手先情報を抽出するものである。
【００１３】
この発明によれば、表示制御部は、上記識別情報毎に表示優先度に従って、各通信相手先について表示対象とする通信相手先情報を抽出するので、各操作者それぞれにとって真に必要な情報のみを表示部に表示可能となる。
【００１４】
また、請求項５に記載の発明は、請求項１又は請求項２に記載の画像表示装置であって、前記各通信相手先についての前記各通信相手先情報が前記通信部による通信に用いられた使用頻度を検出する使用頻度検出部を更に備え、
前記表示制御部は、前記使用頻度検出部によって検出された使用頻度を前記表示優先度として、前記通信相手先情報を複数有する通信相手先について前記表示優先度が高い前記通信相手先情報を抽出する処理を行うものである。
【００１５】
この発明によれば、表示制御部は、使用頻度検出部によって検出された使用頻度を表示優先度として、通信相手先情報を複数有する通信相手先についての表示対象とする通信相手先情報を判別するので、各通信相手先について操作者が所望する可能性が高い使用頻度が高い通信相手先情報を表示部に表示させることができる。
【００１６】
また、請求項６に記載の発明は、請求項１又は請求項２に記載の画像表示装置であって、前記各通信相手先について、前記通信部による通信に用いられた最新の前記通信相手先情報を検出する最新相手先情報検出部を更に備え、
前記表示制御部は、前記最新相手先情報検出部による検出結果を前記表示優先度として、前記通信相手先情報を複数有する通信相手先について前記表示優先度が高い前記通信相手先情報を抽出する処理を行うものである。
【００１７】
この発明によれば、表示制御部は、最新相手先情報検出部による検出結果を表示優先度として、通信相手先情報を複数有する通信相手先についての表示対象とする通信相手先情報を判別するので、各通信相手先について操作者が所望する可能性が高い最も直近の通信に用いられた通信相手先情報を表示部に表示させることができる。
【００１８】
また、請求項７に記載の発明は、請求項１又は請求項２に記載の画像表示装置であって、前記各通信相手先について、前記通信相手先記憶部に記憶された最新の前記通信相手先情報を検出する最新記憶情報検出部を更に備え、
前記表示制御部は、前記最新記憶情報検出部による検出結果を前記表示優先度として、前記通信相手先情報を複数有する通信相手先について前記表示優先度が高い前記通信相手先情報を抽出する処理を行うものである。
【００１９】
この発明によれば、最新記憶情報検出部による検出結果を表示優先度として、通信相手先情報を複数有する通信相手先についての表示対象とする通信相手先情報を判別するので、各通信相手先について操作者が所望する可能性が高い最も直近に通信相手先記憶部に記憶された通信相手先情報を表示部に表示させることができる。
【００２０】
また、請求項８に記載の発明は、請求項５乃至請求項７のいずれかに記載の画像表示装置であって、各操作者を識別するための識別情報の入力を各操作者別に受け付ける識別情報受付部を更に備え、
前記表示優先度記憶部は、前記通信相手先情報について前記検出結果で示される前記表示優先度を、前記識別情報受付部に受け付けられた前記識別情報毎に記憶し、
前記表示制御部は、前記識別情報毎に、前記表示優先度が高いとされる前記通信相手先情報を抽出するものである。
【００２１】
この発明によれば、表示制御部は、上記識別情報毎に表示優先度に従って、各通信相手先について表示対象とする通信相手先情報を抽出するので、各操作者それぞれにとって真に必要な情報のみを表示部に表示可能となる。
【００２２】
また、請求項９に記載の発明は、請求項１乃至請求項８のいずれかに記載の画像表示装置であって、前記表示制御部は、前記各通信相手先について前記通信相手先情報を前記表示部に表示させるとき、前記通信相手先情報を複数有する通信相手先については、前記表示優先度記憶部に記憶されている前記表示優先度に応じて前記通信相手先情報を抽出して、前記表示部に前記表示優先度順に表示させるものである。
【００２３】
この発明によれば、表示制御部は、表示優先度順に、各通信相手先について抽出した通信相手先情報を表示するので、各操作者は、必要性が高いと想定される順番に整列された通信相手先情報を確認できる。
【００２４】
また、請求項１０に記載の発明は、請求項９に記載の画像表示装置であって、前記表示制御部は、前記抽出した通信相手先情報を、前記優先度順に表示形態を異ならせて前記表示部に表示させるものである。
【００２５】
この発明によれば、表示制御部は、表示優先度順に表示形態を異ならせて、各通信相手先について抽出した通信相手先情報を表示するので、各操作者は、表示されている各通信相手先情報の必要性の如何を容易に確認することができる。
【００２６】
また、請求項１１に記載の発明は、請求項１乃至請求項８のいずれかに記載の画像表示装置であって、前記表示制御部は、前記抽出の対象とはしていない前記通信相手先情報も更に前記表示部に表示させ、前記抽出の対象として抽出した通信相手先情報を、当該抽出の対象とはしていない前記通信相手先情報とは表示形態を異ならせて前記表示部に表示させるものである。
【００２７】
この発明によれば、表示制御部は、抽出の対象とはしていない通信相手先情報も更に表示部に表示させ、抽出の対象として抽出した通信相手先情報を、当該抽出の対象とはしていない通信相手先情報とは表示形態を異ならせて表示部に表示させるので、抽出の対象とされているか否かに関わらず全ての通信相手先情報を確認でき、しかも、上記異なる表示形態に基づいて抽出の対象とされているか否かを容易に認識することができる。
【００２８】
また、請求項１２に記載の発明は、請求項１乃至請求項１１のいずれかに記載の画像表示装置であって、前記通信相手先情報記憶部は、前記通信相手先情報と共にこれに付随する詳細情報を記憶し、
前記表示制御部によって前記表示部に表示されている前記通信相手先情報についての前記詳細情報を表示させる詳細情報表示指示を操作者から受け付ける詳細情報表示指示受付部を更に備え、
前記表示制御部は、前記詳細情報表示指示受付部に前記詳細情報表示指示が受け付けられた通信相手先情報の前記詳細情報を、前記通信相手先情報記憶部から読み出して、前記表示部に表示させるものである。
【００２９】
この発明によれば、表示制御部は、詳細情報表示指示受付部に詳細情報表示指示が受け付けられた通信相手先情報の詳細情報を、通信相手先情報記憶部から読み出して表示部に表示させるので、操作者に対して、通信相手先について通信相手先情報だけでなく更に詳細な情報も提示可能である。
【００３０】
また、請求項１３に記載の発明は、請求項１乃至請求項１２に記載のいずれかの画像表示装置を備えた通信機器である。
【００３１】
また、請求項１４に記載の発明は、請求項１乃至請求項１２に記載のいずれかの画像表示装置を備えた画像形成装置である。
【００３２】
これらの発明によれば、請求項１乃至請求項１２のいずれかに記載の発明と同様の作用を得ることができる。
【発明の効果】
【００３３】
本発明によれば、通信時には、操作者が真に必要な情報のみを表示部に表示可能になるため、装置に登録されている通信相手先、通信方式及びこれに用いる通信相手先特定情報の中から、今回の通信相手先への通信に用いる通信方式及び通信相手先特定情報を容易に検出することが可能になる。
【図面の簡単な説明】
【００３４】
【図１】本発明の一実施形態に係る画像形成装置の一例である複合機の構成を示す側面概略図である。
【図２】操作部の部分拡大図である。
【図３】図１に示す複合機の制御ブロック図である。
【図４】複合機における通信相手先についての通信相手先情報の表示優先度を設定する際の処理を示すフローチャートである。
【図５】表示部の表示画面の一例を示す図である。
【図６】表示部の表示画面の一例を示す図である。
【図７】表示部の表示画面の一例を示す図である。
【図８】表示部の表示画面の一例を示す図である。
【図９】複合機による通信相手先及び通信相手先情報の表示処理の第１実施形態を示すフローチャートである。
【図１０】表示部の表示画面の一例を示す図である。
【図１１】表示部の表示画面の一例を示す図である。
【図１２】複合機による通信相手先及び通信相手先情報の表示処理の第２実施形態を示すフローチャートである。
【図１３】複合機による通信相手先及び通信相手先情報の表示処理の第３実施形態を示すフローチャートである。
【図１４】表示部の表示画面の一例を示す図である。
【図１５】表示部の表示画面の一例を示す図である。
【図１６】第５実施形態に係る処理を実行するための複合機の制御ブロック図である。
【図１７】複合機において通信相手先及びこれに用いる通信相手先情報の抽出に用いる抽出情報を設定する際の処理をフローチャートである。
【図１８】表示部の表示画面の一例を示す図である。
【図１９】表示部の表示画面の一例を示す図である。
【図２０】表示部の表示画面の一例を示す図である。
【図２１】複合機による通信相手先及び通信相手先情報の表示処理の第５実施形態を示すフローチャートである。
【図２２】表示部の表示画面の一例を示す図である。
【図２３】表示部の表示画面の一例を示す図である。
【図２４】複合機による通信相手先及び通信相手先情報表示時の処理の第５実施形態の第１変形形態を示すフローチャートである。
【図２５】複合機による通信相手先及び通信相手先情報表示時の処理の第５実施形態の第２変形形態を示すフローチャートである。
【図２６】表示部の表示画面の一例を示す図である。
【図２７】表示部の表示画面の一例を示す図である。
【図２８】複合機による通信相手先及び通信相手先情報の表示処理の第４実施形態を示すフローチャートである。
【図２９】表示部の表示画面の一例を示す図である。
【図３０】複合機による通信相手先及び通信相手先情報表示時の処理の第５実施形態の第３変形形態を示すフローチャートである。
【図３１】表示部の表示画面の一例を示す図である。
【図３２】表示部の表示画面の一例を示す図である。
【図３３】表示部の表示画面の一例を示す図である。
【発明を実施するための形態】
【００３５】
以下、本発明の一実施形態に係る画像表示装置及び画像形成装置について図面を参照して説明する。図１は、本発明の一実施形態に係る画像形成装置の一例である複合機の構成を示す側面概略図である。図２は、操作部４００の部分拡大図である。以下、本発明の一実施形態に係る画像表示装置による処理を、当該画像表示装置を備えた複合機１の処理として説明する。
【００３６】
複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読取部５００と、原稿読取部５００の上部に配設された原稿給送部６００とから構成される。
【００３７】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートキー４３２、テンキー４３３、及び機能切換キー４３４等を備える。
【００３８】
ヘルプキー４３１は、操作者から、スキャナ機能、ファクシミリ機能、プリンタ機能、コピー機能等に関する各操作方法を表示する操作画面（ヘルプ画面）を表示部４１０に表示させる指示を受け付けるものである。
【００３９】
スタートキー４３２は、コピー動作やスキャン動作等の各動作を開始させる指示を操作者から受け付ける。テンキー４３３は、コピー部数を指定する指示等を操作者から受け付けるキーである。また、本実施形態では、テンキー４３３は、表示部４１０に表示中の操作画面に対応する操作指示の入力に必要な情報（例えば、ユーザボックス番号）の入力を受け付ける情報入力部として機能する。
【００４０】
機能切換キー４３４は、コピー機能、送信機能（スキャナ機能、ファクシミリ機能等）、文書ボックス機能（後述するＨＤＤ７４内の記憶領域（メールボックス）に記憶されているデータを読み出してプリントする機能）等を相互に切り替える機能切換指示を操作者から受け付けるキーである。
【００４１】
表示部４１０は、ＬＣＤ（Liquid Crystal Display）等からなり、タッチパネル機能を組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００４２】
原稿給送部６００は、原稿載置部６０１、給紙ローラ６０２、原稿搬送部６０３及び原稿排出部６０４を備え、原稿読取部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００４３】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００４４】
感光体ドラム２０４は、矢印方向に回転しながら帯電装置（図示省略）によって一様に帯電される。露光装置２０６は、原稿読取部５００において読み取られた原稿の画像に応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００４５】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００４６】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００４７】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、ファクシミリ通信部７５、及び報知部７６を備える。
【００４８】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００４９】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００５０】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００５１】
ネットワークＩ／Ｆ部７１は、ネットワークインタフェース（10/100Base-TX）等を用い、ＬＡＮ、又はルータを介したインターネットにより外部装置との間での種々のデータの送受信を制御する。ネットワークＩ／Ｆ部７１は、動作制御部５２１による制御の下、例えば、ＬＡＮにより当該複合機１に接続されたパーソナルコンピュータであって、操作部４００の操作により操作者から指定されたアドレスを有するパーソナルコンピュータに対して、スキャナ部１１によって読み取られた原稿画像データ等を送信して、操作者により指定された当該パーソナルコンピュータ内のフォルダに格納させる。また、ネットワークＩ／Ｆ部７１は、動作制御部５２１による制御の下、例えば、ルータを介してインターネット等により当該複合機１に接続されたコンピュータであって、操作部４００の操作により操作者から指定されたアドレスを有するパーソナルコンピュータに対して、電子メールを送信する。
【００５２】
ＨＤＤ７４は、スキャナ部１１によって読み取られた画像及び当該画像に設定されている出力形式等を記憶する。
【００５３】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。
【００５４】
例えば、表示部４１０には、後述する図６に示すアドレス帳画面Ｃの表示時に、当該画面内に「OK」キー４１１と、キャンセルキー４１２とが表示制御部５２２の表示制御により表示される。
【００５５】
「OK」キー４１１は、アドレス帳画面Ｃに対応する操作指示の入力完了を示す入力完了指示の入力をタッチパネル機能により操作者から受け付けるキーである。
【００５６】
キャンセルキー４１２は、アドレス帳画面Ｃに対応する操作指示が操作者により既に入力済みである場合に、当該入力済みの操作指示の入力を取り消す指示をタッチパネル機能により操作者から受け付けるソフトキーである。
【００５７】
操作キー部４３０には、図２に示した機能切換キー４３４、スタートキー４３２、テンキー４３３等が設けられている。制御部５１のＣＰＵ５２は、上記表示部４１０及び操作部４００の各キーから、操作者によって入力された指示を受け付ける。
【００５８】
ファクシミリ通信部７５は、符号化／復号化部（図示省略）、変復調部（図示省略）及びＮＣＵ（Network Control Unit）（図示省略）を含む。ファクシミリ通信部７５は、動作制御部５２１による制御の下、スキャナ部１１によって読み取られた原稿の画像データを、操作者による操作部４００の操作で指定された通信相手先のファクシミリ装置に、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。また、ファクシミリ通信部７５は、動作制御部５２１による制御の下、操作者による操作部４００の操作で指定された通信相手先のファクシミリ装置、或いは、当該複合機１をファクシミリデータの受信先として指定してくる外部のファクシミリ装置の間で、インターネットファクスによるデータ通信（ｉファクシミリ通信）を行う。
【００５９】
制御部５１は、ＣＰＵ５２と、データ記憶部５０とを備える。ＣＰＵ５２は、複合機１の動作制御を司るものである。データ記憶部５０は、通信相手先記憶部５３と、表示優先度記憶部５４とを備える。
【００６０】
通信相手先記憶部５３は、メモリ等からなり、操作者による操作部４００の操作で入力された、通信方式（ファクシミリ通信、ｉファクス送信、電子メール送信、又は当該複合機１にネットワーク接続されたパーソナルコンピュータへのデータ送信等）と、当該通信方式に用いる通信相手先特定情報（上記電子メールの送信相手先を示すアドレス、原稿画像データの格納先とするパーソナルコンピュータ及びそのフォルダを示すアドレス、ファクシミリ番号等）を、操作者による操作部４００の操作で入力された名称が示す通信相手先に対応付けて記憶する。通信相手先記憶部５３は、１つの通信相手先に対して、通信方式及び通信相手先特定情報の組合せからなる通信相手先情報を複数対応付けて記憶可能である。
【００６１】
表示優先度記憶部５４は、メモリ等からなり、通信相手先記憶部５３に１つの通信相手先に対応付けて記憶されている複数の通信相手先情報から、表示制御部５２２が、各通信相手先について表示対象とする通信相手先情報を抽出する際に用いる表示優先度を、当該通信相手先の各通信相手先情報について記憶する。例えば、表示優先度受付部５２５に、通信相手先についての表示対象とする通信相手先情報の指定が操作者から受け付けられているときは、当該通信相手先情報の指定が、表示優先度「レベル高」として表示優先度記憶部５４に記憶される。また、表示優先度記憶部５４は、使用頻度検出部５２７で検出される使用頻度の値を表示優先度として記憶する。また、表示優先度記憶部５４は、最新相手先情報検出部５２８で検出される最新相手先情報の値を表示優先度として記憶する。また、表示優先度記憶部５４は、最新記憶情報検出部５２９で検出される最新記憶情報の値を表示優先度として記憶する。
【００６２】
ＣＰＵ５２は、動作制御部５２１、表示制御部５２２、通信相手先受付部５２３、抽出指示受付部５２４、表示優先度受付部５２５、識別情報受付部５２６、使用頻度検出部５２７、最新相手先情報検出部５２８、及び最新記憶情報検出部５２９を備える。動作制御部５２１は、複合機１の各部（操作部４００、スキャナ部１１，画像処理部２１、プリンタ部３１等）の動作制御を司る。動作制御部５２１は、例えば、上述したように、上記ネットワークＩ／Ｆ部７１による通信、及び上記ファクシミリ通信部７５による通信を制御する。当該ネットワークＩ／Ｆ部７１及びファクシミリ通信部７５は、特許請求の範囲における通信部の一例である。
【００６３】
表示制御部５２２は、表示部４１０の表示動作を制御する。表示制御部５２２は、図略のデータ記憶部から、操作画面の表示に必要な画像データ等を読み出して、通信相手先記憶部５３に記憶されている各通信相手先及びこれに用いる通信相手先情報と共に、アドレス帳画面Ｃ（後述の図６。通信相手先リスト画面の一例）を生成して、表示部４１０に表示させる。
【００６４】
通信相手先受付部５２３は、表示制御部５２２によって表示部４１０にアドレス帳画面Ｃが表示されているときに、上記ネットワークＩ／Ｆ部７１及びファクシミリ通信部７５による通信を行わせる通信相手先を示す通信相手先情報を、操作者による操作部４００の操作に基づいて受け付ける。
【００６５】
抽出指示受付部５２４は、表示制御部５２２による上記抽出を実行させる抽出指示を、操作者から操作部４００の操作に基づいて受け付ける。表示制御部５２２は、抽出指示受付部５２４に当該抽出指示が受け付けられたとき、各通信相手先について通信相手先情報を表示部４１０に表示させるときに、通信相手先情報を複数有する通信相手先については、表示優先度記憶部５４に記憶されている表示優先度が高い通信相手先情報を抽出してアドレス帳画面Ｃとして表示部４１０に表示させる。
【００６６】
表示優先度受付部５２５は、表示制御部５２２による表示対象とする通信相手先についての通信相手先情報の指定を、上記表示優先度として操作者から受け付ける。表示制御部５２２は、表示優先度受付部５２５に当該指定が受け付けられている場合には、当該通信相手先情報の指定を表示優先度として、当該表示優先度に従って、各通信相手先情報を複数有する通信相手先について、当該複数通信相手先情報の中から、表示対象とする通信相手先情報を抽出する。
【００６７】
識別情報受付部５２６は、各操作者を識別するための識別情報（各操作者別に割り振られた各操作者別のＩＤ等）の入力を各操作者別に受け付ける。識別情報受付部５２６に当該識別情報が受け付けられた場合、表示優先度記憶部５４には、識別情報受付部５２６に受け付けられた識別情報毎に、表示優先度（上記通信相手先情報の指定、使用頻度の値、最新相手先情報の値、又は最新記憶情報の値）が記憶される。表示制御部５２２は、各通信相手先について通信相手先情報を表示部４１０に表示させるとき、表示優先度記憶部５４に記憶されている識別情報毎の表示優先度に従って、識別情報別に、各通信相手先情報を複数有する通信相手先について、当該複数通信相手先情報の中から、表示対象とする通信相手先情報を抽出する。
【００６８】
使用頻度検出部５２７は、各通信相手先についての各通信相手先情報が上記ネットワークＩ／Ｆ部７１及びファクシミリ通信部７５による通信に用いられた使用頻度（例えば、1週間における使用回数等）を検出する。使用頻度検出部５２７によって検出された使用頻度は表示優先度記憶部５４に表示優先度として記憶され、表示制御部５２２は、当該記憶されている使用頻度の値を表示優先度として、通信相手先情報を複数有する通信相手先についての上記通信相手先情報の抽出を行う。
【００６９】
最新相手先情報検出部５２８は、各通信相手先について、上記ネットワークＩ／Ｆ部７１及びファクシミリ通信部７５による通信に用いられた最新の通信相手先情報を検出する。最新相手先情報検出部５２８によって検出された最新相手先情報は、表示優先度記憶部５４に表示優先度として記憶され、表示制御部５２２は、当該記憶されている最新相手先情報の値を表示優先度として、通信相手先情報を複数有する通信相手先についての上記通信相手先情報の抽出を行う。
【００７０】
最新記憶情報検出部５２９は、各通信相手先について、通信相手先記憶部５３に記憶された最新の通信相手先情報を検出する。最新記憶情報検出部５２９によって検出された最新記憶情報は、表示優先度記憶部５４に表示優先度として記憶され、表示制御部５２２は、当該記憶されている最新記憶情報の値を表示優先度として、通信相手先情報を複数有する通信相手先についての上記通信相手先情報の抽出を行う。
【００７１】
なお、本発明の一実施形態に係る画像表示装置は、操作部４００と、表示部４１０と、表示制御部５２２と、通信相手先受付部５２３、抽出指示受付部５２４、表示優先度受付部５２５、識別情報受付部５２６、使用頻度検出部５２７、最新相手先情報検出部５２８、最新記憶情報検出部５２９、通信相手先記憶部５３、及び表示優先度記憶部５４のうち、後述する各実施形態に係る処理を実行するために必要な各部を備え、これに加えて更に、ネットワークＩ／Ｆ部７１又はファクシミリ通信部７５の少なくとも一方を備えてなる。
【００７２】
なお、本発明の一実施形態に係る表示制御プログラムは、ＨＤＤ７４等の複合機１内の記憶媒体に記憶されており、ＣＰＵ５２が当該表示制御プログラムに従って動作制御を行うことで、上記表示制御部５２２、通信相手先受付部５２３、抽出指示受付部５２４、表示優先度受付部５２５、識別情報受付部５２６、使用頻度検出部５２７、最新相手先情報検出部５２８、及び最新記憶情報検出部５２９として機能し、更に当該ＣＰＵ５２が更に制御部５１のメモリ等を通信相手先記憶部５３及び表示優先度記憶部５４として機能させる。この表示制御プログラムは、ＣＤ−ＲＯＭ又はＤＶＤからの読込、或いは、ネットワークＩ／Ｆ７１によるインターネット上のサーバからダウンロードにより、ＨＤＤ７４等に記憶される。
【００７３】
但し、上記表示制御部５２２、通信相手先受付部５２３、抽出指示受付部５２４、表示優先度受付部５２５、識別情報受付部５２６、使用頻度検出部５２７、最新相手先情報検出部５２８、及び最新記憶情報検出部５２９は、ＣＰＵ５２が上記表示制御プログラムに従って動作制御することで実現されるものに限られず、上記表示制御部５２２、通信相手先受付部５２３、抽出指示受付部５２４、表示優先度受付部５２５、識別情報受付部５２６、使用頻度検出部５２７、最新相手先情報検出部５２８、及び最新記憶情報検出部５２９が回路等によりハード的に備えられていてもよい。
【００７４】
次に、複合機１における通信相手先についての通信相手先情報の表示優先度を設定する際の処理を説明する。図４は、複合機１における通信相手先についての通信相手先情報の表示優先度を設定する際の処理を示すフローチャートである。図５乃至図８は表示部４１０の表示画面の一例を示す図である。
【００７５】
複合機１の主電源が操作者によってオンにされると、表示制御部５２２は、表示部４１０に図５に示すような初期画面Ａを表示させる（Ｓ１）。本実施形態では、表示制御部５２２は、初期画面Ａの一例として、表示部４１０に、コピー機能の動作条件が設定可能な表示画面を表示させる例を示す。
【００７６】
表示制御部５２２が、表示部４１０に初期画面Ａを表示させているときに、操作者により、コピー動作の実行指示等、送信機能以外の他の動作の指示が入力されて動作制御部５２１に受け付けられた場合には（Ｓ２でＮＯ）、当該入力が受け付けられた他の動作が動作制御部５２１により実行される（Ｓ１０）。
【００７７】
表示制御部５２２が、表示部４１０に初期画面Ａを表示させているときに、操作者により操作キー部４３０の機能切換キー４３４をなす例えば送信キー４３４１が押下され、この押下操作に基づいて、複合機１に取得された画像データ等を外部機器に送信する送信機能の開始指示が動作制御部５２１に受け付けられると（Ｓ２でＹＥＳ）、表示制御部５２２は、通信相手先記憶部５３から、全ての通信相手先及びこれに用いられる通信相手先情報を読み出し、図略の記憶部から、操作者から通信相手先の指定を受け付けるためのアドレス帳画面Ｃを表示するために必要な画像データ等を読み出して、これら、全ての通信相手先及びこれに用いられる通信相手先情報と、各上記画像データとを用いて、図６に例を示すようなアドレス帳画面Ｃを生成して、表示部４１０に表示させる（Ｓ３）。
【００７８】
表示制御部５２２によって表示される上記アドレス帳画面Ｃには、表示優先度指定ボタン４１３が表示される。例えば、表示優先度受付部５２５は、表示優先度指定ボタン４１３が押下されて、通信方式及び通信相手先特定情報の選択を開始する操作者からの指示がタッチパネル機能により受け付けられると（Ｓ４でＹＥＳ）、表示制御部５２２は、図７に例を示すような設定画面Ｄを表示部４１０に表示させる（Ｓ５）。
【００７９】
この設定画面Ｄの表示時に、操作者により、ファクシミリの送信先として示されている「名前:大阪支社  詳細:66-6666-6666」に対応するラジオボタン４１９が押下され、OKボタン４１１が押下されると、このファクシミリの送信先として示されている通信相手先情報「名前:大阪支社  詳細:66-6666-6666」を、通信相手先情報を複数（この例では、「通信方式:ファクシミリ通信，ファクシミリ番号:66-6666-6666」，「通信方式：電子メール，メールアドレス：kyo@ky.jp」）有する通信相手先「大阪支社」について表示対象とする指定を表示優先度（表示優先度「レベル高」）として、表示優先度受付部５２５が操作者から受け付ける（Ｓ６でＹＥＳ）。
【００８０】
すなわち、１つの通信相手先「大阪支社」について複数の通信相手先情報「通信方式：ファクシミリ通信，ファクシミリ番号:66-6666-6666」、と「通信方式：電子メール，メールアドレス：kyo@ky.jp」とが通信相手先記憶部５３に記憶されている場合に、当該ラジオボタン４１９及びOKボタン４１１の押下により指定された「名前:大阪支社  詳細:66-6666-6666」を、通信相手先「大阪支社」についてのアドレス帳画面Ｃでの次回の表示対象として表示優先度受付部５２５が操作者から受け付ける。なお、操作者により、OKボタン４１１を押下する前に、複数のラジオボタン４１９，４２０が押下された場合は、１つの通信相手先「大阪支社」について複数の通信相手先情報「通信方式：ファクシミリ通信，ファクシミリ番号:66-6666-6666」と「通信方式：電子メール，メールアドレス：kyo@ky.jp」とを、通信相手先「大阪支社」についてのアドレス帳画面Ｃでの次回の表示対象として表示優先度受付部５２５が操作者から受け付ける。このように受け付けられた通信相手先情報の指定は、表示優先度記憶部５４に記憶される（Ｓ７）。
【００８１】
この表示優先度受付部５２５による受付後、表示制御部５２２は、表示部４１０の表示画面をアドレス帳画面Ｃに戻す。
【００８２】
さらに、アドレス帳画面Ｃにおいて、識別情報入力ボタン４１４が操作者によって押下されると、表示制御部５２２は、図８に例を示す識別情報入力画面Ｅを表示部４１０に表示させ、例えば操作部４００のテンキー４３３の操作により例えば4桁の数字からなる操作者識別情報（ユーザＩＤ等）が操作者により入力され、OKボタンＢ２が押下され、識別情報受付部５２６に当該入力された識別情報が受け付けられると（Ｓ８でＹＥＳ）、上記Ｓ７で操作者により設定された通信相手先情報と、当該入力された識別情報とが対応付けられて表示優先度記憶部５４に記憶される（Ｓ９）。なお、表示制御部５２２は、操作者による上記識別情報の入力に従って、識別情報入力画面Ｅの識別番号表示欄Ｂ１に、入力された番号を表示させる。
【００８３】
次に、複合機１による通信相手先及び通信相手先情報の表示処理の第１実施形態を説明する。図９は複合機１による通信相手先及び通信相手先情報の表示処理の第１実施形態を示すフローチャート、図１０及び図１１は表示部４１０の表示画面の一例を示す図である。なお、図４で示した処理と同様の処理は説明を省略する。
【００８４】
表示制御部５２２によるアドレス帳画面Ｃ（図６）の表示時に（Ｓ１３）、当該アドレス帳画面Ｃに表示されている優先ボタン４５０が操作者により押下され、タッチパネル機能により操作部４００を介して抽出指示受付部５２４に抽出指示が受け付けられると（Ｓ１４でＹＥＳ）、表示制御部５２２は、表示優先度記憶部５４に記憶されている上記表示優先度に従って、各通信相手先について、指定された通信相手先情報（通信方式及び通信相手先特定情報）を抽出する（Ｓ１５）。
【００８５】
表示制御部５２２は、当該抽出した通信相手先情報（通信方式及び通信相手先特定情報）と、これに対応する各通信相手先とを用いて、図１０に例を示す新たなアドレス帳画面Ｃ２を作成して表示部４１０に表示させる（Ｓ１６）。なお、Ｓ１４において、上記抽出指示が受け付けられない場合は（Ｓ１４でＮＯ）、Ｓ１５及びＳ１６の処理はスキップされる。
【００８６】
この新たなアドレス帳画面Ｃ２の表示時に、当該画面内の詳細ボタン４１７が押下され、更に操作者所望の通信相手先の表示部分が押下され、表示制御部５２２に詳細情報表示指示が受け付けられると（Ｓ１７でＹＥＳ）、表示制御部５２２は、当該通信相手先について通信相手先記憶部５３に記憶されている詳細情報（通信方式、相手先名称、相手先住所、通信相手先特定情報、通信ログ等）を読み出し、図１１に例を示すように、当該詳細情報を示す詳細情報画面Ｄ２を表示部４１０に表示させる（Ｓ１８）。詳細情報画面Ｄ２の表示時にOKボタン４１１が押下されて、タッチパネル機能により操作部４００を介して、表示制御部５２２に、詳細情報画面Ｄ２の表示を終了させる旨の指示が受け付けられると（Ｓ１９でＹＥＳ）、表示制御部５２２は、新たなアドレス帳画面Ｃ２を再度表示部４１０に表示させる（Ｓ２０）。なお、Ｓ１７において、上記詳細表示指示が受け付けられない場合は（Ｓ１７でＮＯ）、Ｓ１８乃至Ｓ２０の処理はスキップしてＳ２１の処理が行われる。
【００８７】
この表示制御部５２２による表示部４１０への新たなアドレス帳画面Ｃ２の表示時に、操作者による操作により、新たなアドレス帳画面Ｃ２における所望の通信相手先の表示部分が押下された後、OKボタン４１１が押下されると、タッチパネル機能により、操作部４００に、当該押下された部分に表示されている通信相手先と、当該通信相手先に対応付けられている通信相手先情報（通信方式及びこれに用いる通信相手先特定情報）とが、今回の通信に用いられる通信相手先及び通信相手先情報として受け付けられ、この通信相手先及び通信相手先情報の受け付け後、操作者によるタッチ操作によりアドレス帳画面ＣにおけるOKボタン４１１が押下されると、通信相手先受付部５２３が当該通信相手先及び通信相手先情報を受け付け（Ｓ２１でＹＥＳ）、動作制御部５２１は、当該受け付けられた通信相手先に、当該受け付けられた通信相手先情報が示す通信方式及び通信相手先特定情報で通信を行う（Ｓ２２）。例えば、新たなアドレス帳画面Ｃ２の表示時に、操作者による操作により、アドレス帳画面Ｃにファクシミリの送信先として示されている通信相手先情報「名前:大阪支社  詳細:66-6666-6666」の表示部分が押下された後、OKボタン４１１が押下されると、ファクシミリ通信部７５により、ファクシミリ番号:66-6666-6666を用いてファクシミリ通信が行われる。
【００８８】
次に、複合機１による通信相手先及び通信相手先情報の表示処理の第２実施形態を説明する。図１２は複合機１による通信相手先及び通信相手先情報の表示処理の第２実施形態を示すフローチャートである。なお、図４又は図９で示した処理と同様の処理は説明を省略する。
【００８９】
この第２実施形態では、複合機１の起動時に、操作者によって識別情報が入力されてログインされており、複合機１が当該操作者毎に対応した内容で表示部４１０の表示制御等を行う場合の処理である。
【００９０】
複合機１の起動時、表示制御部５２２は、表示部４１０に、上記図８に例を示したと同様の識別情報入力画面Ｅを表示させる（Ｓ３１）。この識別情報入力画面Ｅの表示時に、操作者による操作部４００の操作で、操作者固有の上記識別情報が入力され、表示制御部５２２により識別情報が受け付けられると（Ｓ３２でＹＥＳ）、表示制御部５２２は、当該受け付けた識別情報が、抽出情報記憶部５５に記憶されている識別情報に一致するかを判断し（Ｓ３３）、一致すると判断した場合に（Ｓ３３でＹＥＳ）、初期画面Ａを表示させる（Ｓ３４）。
【００９１】
この後、表示制御部５２２がアドレス帳画面Ｃを表示部４１０に表示させている時に、アドレス帳画面Ｃに表示されている優先ボタン４５０が操作者により押下され、抽出指示受付部５２４に抽出指示が受け付けられると（Ｓ３７でＹＥＳ）、表示制御部５２２は、Ｓ３２で受け付けた識別情報に対応付けて表示優先度記憶部５４に記憶されている表示優先度（各通信相手先についての通信相手先情報の指定）を読み出し、当該読み出した表示優先度に基づいて、各通信相手先について、指定された通信相手先情報（通信方式及び通信相手先特定情報）を抽出する（Ｓ３８）。そして、表示制御部５２２は、当該抽出した各通信相手先についての通信相手先（通信方式及び通信相手先特定情報）を表示部４１０に、新たなアドレス帳画面Ｃ２として表示させる（Ｓ３９）。
【００９２】
この表示処理によれば、操作者は、識別情報を複合機１に入力すれば、各通信相手先について操作者自身が指定した通信相手先情報のみをたなアドレス帳画面Ｃ２として表示させることができる。
【００９３】
次に、複合機１による通信相手先及び通信相手先情報の表示処理の第３実施形態を説明する。図１３は複合機１による通信相手先及び通信相手先情報の表示処理の第３実施形態を示すフローチャートである。図１４，図２６，図２７は表示部の表示画面の一例を示す図である。なお、図４，図９又は図１２で示した処理と同様の処理は説明を省略する。
【００９４】
第３実施形態は、表示制御部５２２による各通信相手先についての通信相手先情報（通信方式及び通信相手先特定情報）の抽出について、操作者が選択した表示優先度に基づいて行うものである。
【００９５】
図１３を用いて説明する。この第３実施形態では、表示制御部５２２により表示されるアドレス帳画面Ｃ’には、図１４に例を示すように、抽出方式設定ボタン４５１が表示される（Ｓ１５３）。例えば、表示優先度受付部５２５は、当該抽出方式設定ボタン４５１が押下されて、抽出方式の選択を開始する指示が受け付けられると（Ｓ１５４でＹＥＳ）、表示制御部５２２は、図１５に例を示すような抽出方式設定画面Ｇを表示部４１０に表示させる（Ｓ１５５）。
【００９６】
この抽出方式設定画面Ｇには、表示制御部５２２は、操作者が抽出方式として選択可能な各方式、例えば、使用頻度、最新通信相手先、最新記憶情報を表示させる。操作者により、抽出方式設定画面Ｇに、操作者所望の抽出方式（使用頻度、最新通信相手先、最新記憶情報のいずれか）に対応するラジオボタンＧ１，Ｇ２，Ｇ３のいずれかが押下され、OKボタン４１１が押下されると（Ｓ１５６でＹＥＳ）、このラジオボタンに対応する抽出方式（この例では、使用頻度、最新通信相手先、又は最新記憶情報のいずれか）が、表示制御部５２２により上記抽出に用いられる抽出方式として表示制御部５２２に受け付けられる（Ｓ１５７）。この受付後、表示制御部５２２は、アドレス帳画面Ｃを再度表示部４１０に表示させる（Ｓ１５８）。
【００９７】
この後、表示制御部５２２は、上記操作者により選択された抽出方式で、操作者からの抽出指示に従って、各通信相手先についての通信相手先情報の上記抽出を行う（Ｓ１５９，Ｓ１６０）。例えば、操作者により使用頻度が抽出方式として表示制御部５２２に受け付けられている場合は、表示制御部５２２は、各通信相手先に対して記憶されている各通信相手先情報について使用頻度検出部５２７によって検出される使用頻度を参照し、各通信相手先に対して記憶されているそれぞれの通信相手先情報のうち、例えば当該使用頻度が最も高いものを、各通信相手先について表示する通信相手先情報として抽出する。なお、この場合、表示制御部５２２は、使用頻度が予め定められた値に達している全ての通信相手先情報を抽出するようにしてもよい。すなわち、表示制御部５２２は、当該使用頻度が予め定められた値に達している全ての通信相手先情報を示す情報（値）を表示優先度として用いる。
【００９８】
また、例えば、操作者により最新相手先が抽出方式として表示制御部５２２に受け付けられている場合、表示制御部５２２は、最新相手先情報検出部５２８によって検出される最新の通信相手先を、各通信相手先について表示する通信相手先情報として抽出する。なお、この場合、最新相手先情報検出部５２８は、各通信相手先について、上記ネットワークＩ／Ｆ部７１及びファクシミリ通信部７５による通信に用いられた最新の通信相手先情報を検出する。最新相手先情報検出部５２８によって検出された最新相手先情報は、表示優先度記憶部５４に表示優先度として記憶され、表示制御部５２２は、当該記憶されている最新相手先情報の値を表示優先度として、通信相手先情報を複数有する通信相手先についての上記通信相手先情報の抽出を行う。
【００９９】
さらに、この場合、最新相手先情報検出部５２８が、上記ネットワークＩ／Ｆ部７１及びファクシミリ通信部７５による通信に用いられた各通信相手先について通信相手先情報の履歴を記憶しておき、この履歴に基づいて、最新の通信相手先情報から予め定められた数だけの通信相手先情報を全て検出し、表示制御部５２２は、当該検出された全ての通信相手先情報を抽出するようにしてもよい。すなわち、表示制御部５２２は、当該検出された全ての通信相手先情報を示す情報（値）を表示優先度として用いる。
【０１００】
また更に、例えば、操作者により最新記憶情報が抽出方式として表示制御部５２２に受け付けられている場合、表示制御部５２２は、最新記憶情報検出部５２９によって検出される最新記憶情報（通信相手先記憶部５３に最も直近に記憶された通信相手先情報）を、各通信相手先について表示する通信相手先情報として抽出する。
【０１０１】
さらに、この場合、最新記憶情報検出部５２９が、上記通信相手先記憶部５３に記憶された各通信相手先について通信相手先情報の履歴を記憶しておき、この履歴に基づいて、最も直近に記憶された通信相手先情報から予め定められた数だけの通信相手先情報を全て検出し、表示制御部５２２は、当該検出された全ての通信相手先情報を抽出するようにしてもよい。すなわち、表示制御部５２２は、当該検出された全ての通信相手先情報を示す情報（値）を表示優先度として用いる。
【０１０２】
上記のように、表示制御部５２２が、当該通信相手先情報を複数有する通信相手先について、上記表示優先度に応じて複数の通信相手先情報を抽出する場合、当該抽出された通信相手先情報を、上記使用頻度の順、通信に用いられた順番が新しい順、又は通信相手先記憶部５３に記憶された順番が新しい順に（すなわち、当該各順番を表示優先度として用いる）、上から並べて配置した新たなアドレス帳画面Ｃ２（図２６）を作成して表示部４１０に表示させるようにしてもよい。この場合、更に好ましくは、図２７に示すように、表示制御部５２２は、上記抽出した複数の通信相手先情報を、表示優先度順に表示形態を異ならせて（例えば、表示優先度の高いものから低くなるに連れて順に表示形態を小さくして）、表示部４１０に表示させるようにしてもよい。
【０１０３】
但し、表示制御部５２２は、当該表示形態の異ならせ方としては、上記のように表示の大きさを異ならせることの他、色彩を異ならせる（例えば、表示優先度の高いものを赤等認識しやすい色とし、表示優先度が低くなるに連れて順に徐々に認識し易さが劣る色に変更していく等）、フォント等の形状を異ならせる（例えば、表示優先度の高いものゴシック太文字等の認識しやすいフォントとし、表示優先度が低くなるに連れて順に徐々に認識し易さが劣るフォント（明朝細文字等）に変更していく等）等も適用可能である。
【０１０４】
この第３実施形態による表示処理において、図１２に示した第２実施形態と同様に、操作者の識別情報の入力を受け付けるＳ３１乃至Ｓ３３（図１２）と同様の識別情報受付処理を第３実施形態におけるＳ１５１の処理前に適用し、更にＳ１６０による抽出処理において、表示制御部５２２は、上記識別情報受付処理で受け付けた識別情報に対応付けて表示優先度記憶部５４に記憶されている抽出方式を読み出し、当該読み出した抽出方式に基づいて、各通信相手先について、指定された通信相手先情報（通信方式及び通信相手先特定情報）を抽出するようにしてもよい。この場合、当該抽出方式と識別情報との対応付については、図４に示した表示優先度設定処理のＳ４乃至Ｓ７の処理において、各通信相手先についての通信相手先情報（通信方式及びこれに用いる通信相手先特定情報）の指定の受付に代えて、各通信相手先についての抽出方式（この例では、使用頻度、最新通信相手先、又は最新記憶情報のいずれか）の指定の受付を採用し、当該受け付けた抽出方式を同図４のＳ８で受け付けられた識別情報に対応付けて、同図４のＳ９と同様に表示優先度記憶部５４が記憶するようにする、という一連の処理を用いる。
【０１０５】
次に、複合機１による通信相手先及び通信相手先情報の表示処理の第４実施形態を説明する。図２８は複合機１による通信相手先及び通信相手先情報の表示処理の第４実施形態を示すフローチャートである。図２９は表示部の表示画面の一例を示す図である。なお、図４，図９，図１２又は図１３で示した処理と同様の処理は説明を省略する。
【０１０６】
第４実施形態では、表示制御部５２２は、各通信相手先についての通信相手先情報（通信方式及び通信相手先特定情報）を上記表示優先度に応じて抽出して（Ｓ１７５）、アドレス帳画面Ｃ２を作成するとき、表示制御部５２２は、当該表示優先度に応じた抽出対象にならない通信相手先情報も更に表示させるアドレス帳画面Ｃ２を作成する。このとき、表示制御部５２２は、上記表示優先度に応じて抽出した通信相手先情報を、上記抽出対象ではない通信相手先情報とは表示形態を異ならせたアドレス帳画面Ｃ２を作成し、当該アドレス帳画面Ｃ２を表示部４１０に表示させる（Ｓ１７６）。
【０１０７】
表示制御部５２２は、例えば、図２９に示すように、上記表示優先度に応じて抽出した通信相手先情報を、上記抽出対象ではない通信相手先情報よりも大きく表示させたアドレス帳画面Ｃ２を作成し、当該アドレス帳画面Ｃ２を表示部４１０に表示させる。
【０１０８】
但し、表示制御部５２２は、当該表示形態の異ならせ方としては、上記のように表示の大きさを異ならせることの他、色彩を異ならせる（例えば、上記表示優先度に応じて抽出した通信相手先情報を赤等認識しやすい色とし、上記抽出対象ではない通信相手先情報を認識し易さが劣る色とする等）、フォント等の形状を異ならせる（例えば、上記表示優先度に応じて抽出した通信相手先情報をゴシック太文字等の認識しやすいフォントとし、上記抽出対象ではない通信相手先情報を認識し易さが劣るフォント（明朝細文字等）に変更していく等）等の他の表示形態も適用可能である。
【０１０９】
次に、複合機１による通信相手先及び通信相手先情報の表示処理の第５実施形態を説明する。図１６は、第５実施形態に係る処理を実行するための複合機１の制御ブロック図である。なお、図３に示した構成と同様の構成は説明を省略する。
【０１１０】
第５実施形態に係る処理を実行するための複合機１のＣＰＵ５２は、動作制御部５２１、表示制御部５２２、通信相手先受付部５２３、抽出指示受付部５２４、識別情報受付部５２６に加えて、抽出情報受付部５２０を備える。
【０１１１】
抽出情報受付部５２０は、通信相手先記憶部５３に記憶されている通信相手先及びこれに用いる通信相手先情報に対して、表示制御部５２２による表示部４１０への表示対象としての抽出に用いられる抽出情報の入力を操作者から受け付ける。抽出情報記憶部５５は、通信相手先記憶部５３に記憶されている通信相手先及びこれに用いる通信相手先情報に対して、抽出情報受付部５２０で受け付けられた抽出情報を対応付けて記憶する。表示制御部５２２は、各通信相手先及びこれに用いる通信相手先情報を表示部４１０に表示させるとき、抽出情報受付部５２０で受け付けられた抽出情報に対応付けられている通信相手先及び通信相手先情報を通信相手先記憶部５３から抽出して、表示部４１０に表示させる。
【０１１２】
また、抽出情報受付部５２０は、表示制御部５２２による上記抽出に用いられる前記抽出情報の指定を、この指定に従った抽出を行う時間帯の指定と共に操作者から受け付け可能とされている。抽出情報受付部５２０で受け付けられた抽出情報及びこれに対応付けられた時間帯は通信相手先記憶部５３に記憶される。表示制御部５２２は、各通信相手先及びこれに用いる通信相手先情報を表示部４１０に表示させるとき、通信相手先記憶部５３に記憶されている抽出情報及び時間帯（この抽出情報を用いた抽出を行うものとして指定されている時間帯）に従って、通信相手先記憶部５３に記憶される全ての通信相手先及びこれに用いる通信相手先情報から抽出して表示部４１０に表示させる。
【０１１３】
つまり、この第５実施形態では、表示制御部５２２は、通信相手先記憶部５３に記憶されている各通信相手先の中から、操作者により設定された抽出情報に従って、特定の通信相手先を抽出して表示部４１０に表示させる。抽出情報受付部５２０は、通信相手先記憶部５３に記憶されている通信相手先及びこれに用いる通信相手先情報の組合せからなる各組に対して、例えばプライベート又は公共の別を上記抽出情報として受け付ける。そして、表示制御部５２２は、操作者により、プライベートの抽出情報が付された通信相手先及びこれに用いる通信相手先情報を抽出する旨の指示が受け付けられた場合には、通信相手先記憶部５３からプライベートの抽出情報が対応付けられた通信相手先及びこれに用いる通信相手先情報を抽出して、当該抽出した各通信相手先及びこれに用いる通信相手先情報を表示部４１０に表示させる。
【０１１４】
また、操作者から、抽出情報受付部５２０に、抽出を行うべき時間帯を指定してプライベート又は仕事の別が抽出情報として受け付けられている場合は、表示制御部５２２は、例えば時刻計測可能な内蔵タイマにより、指定された各時間帯毎に異なる抽出情報を用いて抽出を行う。例えば、表示制御部５２２は、上記時間帯として、8時から18時までは抽出情報が仕事と指定され、18時から8時までは抽出情報がプライベートと指定されている場合は、8時から18時までは抽出情報が仕事とされている通信相手先及び通信相手先情報を抽出し、18時から8時までは抽出情報がプライベートとされている通信相手先及び通信相手先情報を抽出する。
【０１１５】
また、記憶部５０は、通信相手先記憶部５３と、抽出情報記憶部５５とを備える。抽出情報記憶部５５は、抽出情報受付部５２０に操作者から受け付けられた抽出情報と、時間帯が各抽出情報について指定されている場合は、その時間帯を記憶する。
【０１１６】
次に、当該複合機１において通信相手先及びこれに用いる通信相手先情報の抽出に用いる抽出情報を設定する際の処理を説明する。図１７は、複合機１において通信相手先及びこれに用いる通信相手先情報の抽出に用いる抽出情報を設定する際の処理をフローチャートである。なお、図４に示した処理と同様の処理は説明を省略する。
【０１１７】
表示制御部５２２が、全ての通信相手先及びこれに用いられる通信相手先情報を表示するアドレス帳画面Ｃを表示部４１０の表示画面としている時（Ｓ６３）、図１８に例を示すように、当該アドレス帳画面Ｃには抽出情報受付ボタン４１８が表示される。この抽出情報受付ボタン４１８は、操作者から、通信相手先及び通信相手先情報について抽出情報の設定を開始する指示をタッチパネル機能により受け付けるためのボタンである。
【０１１８】
ここで、抽出情報受付部５２０は、例えば、操作者により、抽出情報受付ボタン４１８と、抽出情報を設定したい所望の通信相手先及び通信相手先情報の表示部分が押下されることで、操作者から、抽出情報の設定対象とする通信相手先及び通信相手先情報の指定と、通信相手先及び通信相手先情報について抽出情報の設定を開始する指示とが抽出情報受付部５２０にタッチパネル機能により受け付けられると（Ｓ６４でＹＥＳ）、表示制御部５２２は、図１９に例を示すような抽出情報設定画面Ｈを表示部４１０に表示させる（Ｓ６５）。
【０１１９】
この抽出情報設定画面Ｈの表示時に、上記抽出情報の設定対象とする通信相手先及び通信相手先情報を表示するファクシミリ通信先「名前:大阪支社  詳細:66-6666-6666」に対応して設けられているプライベートラジオボタンＨ１と仕事ラジオボタンＨ２とのうち、プライベートラジオボタンＨ１が操作者により押下され、OKボタン４１１が押下されると（Ｓ６６でＹＥＳ）、抽出情報として「プライベート」が抽出情報受付部５２０に受け付けられ、当該ファクシミリ通信先「名前:大阪支社  詳細:66-6666-6666」と、抽出情報「プライベート」とが対応付けられ、当該対応付及び抽出情報「プライベート」が抽出情報記憶部５５に記憶される（Ｓ６７）。
【０１２０】
この抽出情報受付部５２０による抽出情報の受付後、表示制御部５２２は、表示部４１０の表示画面をアドレス帳画面Ｃに戻す。
【０１２１】
さらに、アドレス帳画面Ｃにおいて、識別情報入力ボタン４１４が操作者によって押下されると、表示制御部５２２は、図８に例を示した識別情報入力画面Ｅを表示部４１０に表示させ、この表示時に、操作者識別情報（ユーザＩＤ等）が操作者により入力され、OKボタンＢ２が押下されると、識別情報受付部５２６に当該入力された識別情報が受け付けられ（Ｓ６８でＹＥＳ）、上記通信相手先及び通信相手先情報に対応付けてＳ６７で抽出情報記憶部５５に記憶された抽出情報に対応付けて、当該入力された識別情報が抽出情報記憶部５５に記憶される（Ｓ６９）。なお、操作者識別情報が操作者により入力されずに、OKボタンＢ２が押下された場合は（Ｓ６８でＮＯ）、処理はＳ７０にスキップする。
【０１２２】
この抽出情報受付部５２０による抽出情報の受付後、表示制御部５２２は、表示部４１０の表示画面をアドレス帳画面Ｃに戻す。
【０１２３】
続いて、アドレス帳画面Ｃに示す時間帯設定ボタン４５２が操作者により押下され、タッチパネル機能により、時間帯設定処理を開始する旨の指示が抽出情報受付部５２０に受け付けられると、表示制御部５２２は、図２０に例を示す時間帯設定画面Ｉを表示部４１０に表示させ、更に、この表示時に、操作者により所望の抽出情報（この実施形態では、プライベート又は仕事）に対応付けられたラジオボタンＩ１，Ｉ２のいずれかが押下されることで、時間帯対応付の対象とする抽出情報が操作者により選択された上で、操作者による操作部４００のテンキー４３３の操作等により所望の時間帯が入力され、OKボタン４１１が押下されることで、各抽出情報についての時間帯が指定されると（Ｓ７０でＹＥＳ）、当該指定された時間帯を抽出情報受付部５２０が受け付け、当該受け付けられた抽出情報及びこれについての時間帯が抽出情報記憶部５５に記憶される（Ｓ７１）。なお、操作者は、時間帯設定ボタン４５２を押下せずに、上記時間帯設定を行わないことも可能である（Ｓ７０でＮＯ）。
【０１２４】
なお、Ｓ６４乃至Ｓ７１により、抽出情報及び識別情報の設定は、各通信相手先及びこれに用いられる通信相手先情報の全てについて設定が可能とされている。
【０１２５】
図２１は、複合機１による通信相手先及び通信相手先情報の表示処理の第５実施形態を示すフローチャートである。なお、なお、図４，図９，図１２，図１３又は図２８に示した処理と同様の処理は説明を省略する。
【０１２６】
表示制御部５２２により、通信相手先記憶部５３に記憶されている全ての通信相手先及びこれに用いられる通信相手先情報を用いてアドレス帳画面Ｃ（例えば図１８）を表示しているとき、このアドレス帳画面Ｃに表示されている優先ボタン４５０が操作者により押下され、抽出指示受付部５２４により抽出指示が受け付けられると（Ｓ８４でＹＥＳ）、表示制御部５２２は、表示部４１０に、図２２に例を示すようなプルアップメニュー４３５の表示により、操作者により設定されている全ての抽出情報を表示し（Ｓ８５）、ここで、操作者所望の抽出情報の表示部分、例えば、プライベート表示部分が操作者により押下され、表示制御部５２２に当該プライベートの抽出情報の指定が受け付けられると（Ｓ８６でＹＥＳ）、表示制御部５２２は、当該指定された抽出情報、本実施形態ではプライベートの抽出情報に対応付けられている各通信相手先及び通信相手先情報を、抽出情報記憶部５５に記憶されている内容に基づいて判断し、当該指定された抽出情報に対応付けられている各通信相手先及び通信相手先情報を抽出する（Ｓ８７）。表示制御部５２２は、当該抽出結果を用いて、図２３に例を示す新たなアドレス帳画面Ｃ３を生成し、表示部４１０に表示させる（Ｓ８８）。
【０１２７】
この新たなアドレス帳画面Ｃ３（又はアドレス帳画面Ｃ）の表示時に、詳細ボタン４１７が押下され、更に操作者所望の通信相手先の表示部分が押下されると（Ｓ８９でＹＥＳ）、表示制御部５２２は、当該通信相手先について通信相手先記憶部５３に記憶されている詳細情報を読み出し、図１１に例を示したように、詳細情報画面Ｄ２により、当該詳細情報を表示部４１０に表示させる（Ｓ９０）。
【０１２８】
詳細情報画面Ｄ２の表示時にOKボタン４１１が操作者により押下され、タッチパネル機能により操作部４００を介して、表示制御部５２２に、詳細情報画面Ｄ２の表示を終了させる旨の指示が受け付けられると（Ｓ９１でＹＥＳ）、表示制御部５２２は、新たなアドレス帳画面Ｃ３（新たなアドレス帳画面Ｃ３が生成されていない場合はアドレス帳画面Ｃ）を再度表示部４１０に表示させる（Ｓ９２）。なお、Ｓ８９において、上記詳細表示指示が受け付けられない場合は（Ｓ８９でＮＯ）、Ｓ９０乃至Ｓ９２の処理はスキップしてＳ９３の処理が行われる。
【０１２９】
この表示制御部５２２による表示部４１０への新たなアドレス帳画面Ｃ３（又はアドレス帳画面Ｃ）の表示時に、操作者によるタッチ操作により、新たなアドレス帳画面Ｃ３における所望の通信相手先の表示部分が押下されると、タッチパネル機能により、操作部４００を介して通信相手先受付部５２３に、当該押下された部分に表示されている通信相手先と、当該通信相手先に対応付けて通信相手先記憶部５３に記憶されている通信方式とが、今回の通信相手先及び通信方式として受け付けられる（Ｓ９３でＹＥＳ）。
【０１３０】
Ｓ９３での通信相手先及び通信方式の受け付けの後、操作者によるタッチ操作によりアドレス帳画面Ｃ３（又はアドレス帳画面Ｃ）におけるOKボタン４１１が押下されると、動作制御部５２１は、当該受け付けられた通信相手先に、当該受け付けられた通信方式で通信を行う（Ｓ９４）。
【０１３１】
次に、複合機１による通信相手先及び通信相手先情報表示時の処理の第５実施形態の第１変形形態を説明する。図２４は、複合機１による通信相手先及び通信相手先情報表示時の処理の第５実施形態の第１変形形態を示すフローチャートである。なお、図２１等に示した処理と同様の処理は説明を省略する。
【０１３２】
この第１変形形態では、表示制御部５２２により、通信相手先記憶部５３に記憶されている全ての通信相手先及びこれに用いられる通信相手先情報を用いてアドレス帳画面Ｃが表示されているとき、このアドレス帳画面Ｃに表示されている優先ボタン４５０が操作者により押下されて抽出指示受付部５２４により抽出指示が受け付けられると（Ｓ１０４でＹＥＳ）、表示制御部５２２は、例えば内蔵するタイマにより現在の時刻を判断し、現在時刻が属する時間帯に対応付けられて抽出情報記憶部５５に記憶されている抽出情報を判別し（Ｓ１０５）、当該抽出情報に対応付けられている通信相手先及び通信相手先情報の組みの全てを通信相手先記憶部５３から抽出する（Ｓ１０６）。表示制御部５２２は、当該抽出結果を用いて、図２３に例を示したような新たなアドレス帳画面Ｃ３を生成して、表示部４１０に表示させる（Ｓ１０７）。この後のＳ１０８乃至Ｓ１１４の処理は、図２１に示した処理と同様である。
【０１３３】
次に、複合機１による通信相手先及び通信相手先情報表示時の処理の第５実施形態の第２変形形態を説明する。図２５は、複合機１による通信相手先及び通信相手先情報表示時の処理の第５実施形態の第２変形形態を示すフローチャートである。なお、図２１，図２４等に示した処理と同様の処理は説明を省略する。
【０１３４】
この第２変形実施形態でも、複合機１の起動時に表示制御部５２２により表示されるログイン画面Ｅ（例えば図８）での操作者による操作により識別情報が受け付けられた後（Ｓ１２１でＹＥＳ，Ｓ１２２でＹＥＳ）、アドレス帳画面Ｃ（例えば図６）を表示させているときに（Ｓ１２３）、優先ボタン４５０が操作者により押下され、抽出指示が抽出指示受付部５２４に受け付けられると（Ｓ１２６でＹＥＳ）、表示制御部５２２は、Ｓ１２２で受け付けられた識別情報に対応付けて抽出情報記憶部５５に記憶されている、現在の時間帯に属する抽出情報を判別し（Ｓ１２７）、当該判別した抽出情報に対応付けられている通信相手先及び通信相手先情報の組みを全て通信相手先記憶部５３から抽出する（Ｓ１２８）。表示制御部５２２は、当該抽出結果を用いて、図２３に例を示したような新たなアドレス帳画面Ｃ３を生成して、表示部４１０に表示させる（Ｓ１２９）。この後のＳ１３０乃至Ｓ１３６の処理は、図２１，図２４に示した処理と同様である。
【０１３５】
次に、複合機１による通信相手先及び通信相手先情報表示時の処理の第５実施形態の第３変形形態を説明する。図３０は、複合機１による通信相手先及び通信相手先情報表示時の処理の第５実施形態の第３変形形態を示すフローチャートである。なお、図２１，図２４，図２５等に示した処理と同様の処理は説明を省略する。図３１は表示画面の一例を示す図である。
【０１３６】
この第３変形形態では、表示制御部５２２は、指定された抽出情報に対応付けられている通信相手先及び通信相手先情報を抽出して（Ｓ２０７）、表示制御部５２２が、新たなアドレス帳画面Ｃ３を生成するとき、表示制御部５２２は、当該抽出情報に応じた抽出対象にならない通信相手先及び通信相手先情報をも更に表示させる新たなアドレス帳画面Ｃ３を生成する。このとき、表示制御部５２２は、例えば、図３１に示すように、上記抽出情報に応じて抽出した通信相手先及び通信相手先情報を、上記抽出対象ではない通信相手先情報及び通信相手先とは区分けして、表示順を混在させないようにした新たなアドレス帳画面Ｃ３を作成し、当該新たなアドレス帳画面Ｃ３を表示部４１０に表示させる（Ｓ２０８）。なお、図３１では、表示制御部５２２にプライベートの抽出情報の指定が受け付けられ、表示制御部５２２は、当該指定されたプライベートの抽出情報に対応付けられている各通信相手先及び通信相手先情報を抽出する場合を例にして示している。
【０１３７】
また、表示制御部５２２は、上記Ｓ２０８の処理において、例えば、図３２に示すように、上記抽出情報に応じて抽出した通信相手先及び通信相手先情報を、上記抽出対象ではない通信相手先情報及び通信相手先とは区分けした上で、対応付けられている抽出情報毎に通信相手先及び通信相手先情報の表示形態を異ならせた新たなアドレス帳画面Ｃ３を作成し、当該新たなアドレス帳画面Ｃ３を表示部４１０に表示させてもよい。なお、図３２では、表示制御部５２２にプライベートの抽出情報の指定が受け付けられ、表示制御部５２２は、当該指定されたプライベートの抽出情報に対応付けられている各通信相手先及び通信相手先情報を抽出する場合を例にして示している。
【０１３８】
なお、表示制御部５２２は、上記Ｓ２０８の処理において、上記抽出情報に応じて抽出した通信相手先及び通信相手先情報を、上記抽出対象ではない通信相手先情報及び通信相手先とは区分けして表示するが、当該区分けを行わずに、例えば、図３３に示すように、対応付けられている抽出情報毎に通信相手先及び通信相手先情報の表示形態を異ならせた新たなアドレス帳画面Ｃ３を作成し、当該新たなアドレス帳画面Ｃ３を表示部４１０に表示させてもよい。なお、図３３では、表示制御部５２２にプライベートの抽出情報の指定が受け付けられ、表示制御部５２２は、当該指定されたプライベートの抽出情報に対応付けられている各通信相手先及び通信相手先情報を抽出する場合を例にして示している。
【０１３９】
この第３変形形態による表示処理において、図２４に示した第１変形形態と同様に、時間帯に属する抽出情報に対応付けられた通信相手先及び通信相手先情報を抽出するＳ１０５及びＳ１０６と同様の識別情報受付処理を、第３変形形態におけるＳ２０５乃至Ｓ２０７の処理に代えて適用するようにしてもよい。
【０１４０】
また、この第３変形形態による表示処理において、図２５に示した第２変形形態と同様に、入力された識別情報が示す操作者により指定された時間帯に属する抽出情報に対応付けられた通信相手先及び通信相手先情報を抽出するようにしてもよい。この場合、図２５に示した第２変形形態におけるＳ１２０乃至Ｓ１２８の処理を、第３変形形態におけるＳ２０１乃至Ｓ２０７の処理に代えて適用するようにしてもよい。
【０１４１】
但し、表示制御部５２２は、当該表示形態の異ならせ方としては、上記に示した表示の大きさを異ならせることの他、色彩を異ならせる、フォント等の形状を異ならせる等の他の表示形態も適用可能である。
【０１４２】
なお、本発明は上記実施の形態の構成に限られず種々の変形が可能である。上記図１乃至図３３に示した実施形態に係る構成及び処理は、本発明に係る表示制御装置及び画像形成装置の構成及び処理の単なる一例に過ぎず、本発明に係る表示制御装置及び画像形成装置の構成及び処理を上記に示した内容に限定するものではない。
【０１４３】
例えば、上記各実施形態及び変形形態として示した複合機１の複合機１による通信相手先及び通信相手先情報の表示処理においては、表示制御部５２２による上記抽出処理は、抽出指示受付部５２４に操作者からの抽出指示が受け付けられた場合に行われるものとして説明しているが、当該抽出指示受付部５２４での抽出指示の受付なしに、表示制御部５２２が上記抽出処理を行うものとしてもよい。
【０１４４】
また、上記各実施形態に示した複合機１における通信相手先についての通信相手先情報の表示優先度又は抽出情報を設定する際の処理では、操作者から識別情報の入力を受け付けて、表示優先度や抽出情報に対応付けられ、上記各実施形態及び変形形態として示した複合機１の複合機１による通信相手先及び通信相手先情報の表示処理では、上記識別情報が示す操作者毎に、表示制御部５２２が上記抽出を行うものとしているが、上記表示優先度又は抽出情報を設定する際の処理において識別情報の入力受付処理を行わず、表示制御部５２２は、上記表示処理における上記抽出処理を、上記識別情報が示す操作者毎には行わないものとしてもよい。
【０１４５】
また、上記各実施形態及び変形形態として示した複合機１の複合機１による通信相手先及び通信相手先情報の表示処理においては、表示制御部５２２に詳細情報表示指示が受け付けられた場合に、表示制御部５２２は、当該通信相手先について通信相手先記憶部５３に記憶されている詳細情報を読み出して、例えば詳細情報画面Ｄ２により、当該詳細情報を表示部４１０に表示させるものとしているが、当該通信相手先及び通信相手先情報の表示処理においては、この詳細情報の表示処理を行わないようにしてもよい。
【０１４６】
また、上記各実施形態では、本発明に係る画像形成装置を複合機１として説明したが、本発明に係る画像形成装置は複合機に限定されず、コピー機、ファクシミリ装置、プリンタ等でも構わない。さらには、本発明は、画像形成装置に限定されず、他の通信機器、例えば、携帯電話、データ通信が可能なモバイル機器等でも構わない。
【符号の説明】
【０１４７】
１          複合機
５０        データ記憶部
５１        制御部
５２        ＣＰＵ
５３        通信相手先記憶部
５４        表示優先度記憶部
５５        抽出情報記憶部
７１        ネットワークＩ／Ｆ部
７５        ファクシミリ通信部
４００      操作部
４１０      表示部
５２０      抽出情報受付部
５２１      動作制御部
５２２      表示制御部
５２３      通信相手先受付部
５２４      抽出指示受付部
５２５      表示優先度受付部
５２６      識別情報受付部
５２７      使用頻度検出部
５２８      最新相手先情報検出部
５２９      最新記憶情報検出部
【手続補正３】
【補正対象書類名】図面
【補正対象項目名】図４
【補正方法】変更
【補正の内容】
【図４】
2011171845.tif 000036
【手続補正４】
【補正対象書類名】図面
【補正対象項目名】図６
【補正方法】変更
【補正の内容】
【図６】
2011171845.tif 000037
【手続補正５】
【補正対象書類名】図面
【補正対象項目名】図７
【補正方法】変更
【補正の内容】
【図７】
2011171845.tif 000038
【手続補正６】
【補正対象書類名】図面
【補正対象項目名】図１０
【補正方法】変更
【補正の内容】
【図１０】
2011171845.tif 000039
【手続補正７】
【補正対象書類名】図面
【補正対象項目名】図１１
【補正方法】変更
【補正の内容】
【図１１】
2011171845.tif 000040
【手続補正８】
【補正対象書類名】図面
【補正対象項目名】図１４
【補正方法】変更
【補正の内容】
【図１４】
2011171845.tif 000041
【手続補正９】
【補正対象書類名】図面
【補正対象項目名】図１８
【補正方法】変更
【補正の内容】
【図１８】
2011171845.tif 000042
【手続補正１０】
【補正対象書類名】図面
【補正対象項目名】図２２
【補正方法】変更
【補正の内容】
【図２２】
2011171845.tif 000043
【手続補正１１】
【補正対象書類名】図面
【補正対象項目名】図２３
【補正方法】変更
【補正の内容】
【図２３】
2011171845.tif 000044
【手続補正１２】
【補正対象書類名】図面
【補正対象項目名】図２６
【補正方法】変更
【補正の内容】
【図２６】
2011171845.tif 000045
【手続補正１３】
【補正対象書類名】図面
【補正対象項目名】図２７
【補正方法】変更
【補正の内容】
【図２７】
2011171845.tif 000046
【手続補正１４】
【補正対象書類名】図面
【補正対象項目名】図２９
【補正方法】変更
【補正の内容】
【図２９】
2011171845.tif 000047
【手続補正１５】
【補正対象書類名】図面
【補正対象項目名】図３１
【補正方法】変更
【補正の内容】
【図３１】
2011171845.tif 000048
【手続補正１６】
【補正対象書類名】図面
【補正対象項目名】図３２
【補正方法】変更
【補正の内容】
【図３２】
2011171845.tif 000049